(57)【要約】  ここでの実施形態は、無線通信ネットワークにおいて改善されたランダムアクセス送信を可能にするための、通信デバイス（１２１）及び通信デバイス（１２１）により実行される方法に関する。通信デバイス（１２１）は、第１のランダムアクセスチャネル構成を示す情報を取得し、及び少なくとも第２のランダムアクセスチャネル構成を示す情報をも取得する。次いで、通信デバイス（１２１）は、上記少なくとも第２のランダムアクセスチャネル構成が上記第１のランダムアクセスチャネル構成に対して直交的であるか否かを判定する。さらに、通信デバイス（１２１）は、上記判定の結果を用いて、当該通信デバイス（１２１）により少なくとも第２のセル（１１６，１１７）を構成するために要する時間を判定する。ここでの実施形態は、無線通信ネットワークにおいて改善されたランダムアクセス送信を可能にするための、第１のネットワークノード（１１０）及びそこでの方法にも関する。【選択図】図９
2017538375.tif 000002
【特許請求の範囲】
【請求項１】
無線通信ネットワーク（１００）において改善されたランダムアクセス送信を可能にするための、通信デバイス（１２１）により実行される方法であって、前記通信デバイス（１２１）は、第１のネットワークノード（１１０）の第１のセル（１１５）、及び、少なくとも第２のネットワークノード（１１１，１１２）の少なくとも第２のセル（１１６，１１７）において、デュアルコネクティビティのために構成可能であり、前記方法は、
前記第１のセル（１１５）において使用される第１のランダムアクセスチャネル構成を示す情報を取得することと、
前記少なくとも第２のセル（１１６，１１７）において使用される少なくとも第２のランダムアクセスチャネル構成を示す情報を取得することと、
前記少なくとも第２のランダムアクセスチャネル構成が前記第１のランダムアクセスチャネル構成に対して直交的であるか否かを判定することと、
前記判定の結果を用いて、前記通信デバイス（１２１）により前記少なくとも第２のセル（１１６，１１７）を構成するために要する時間を判定することと、
を含む方法。
【請求項２】
前記判定の前記結果が前記第２のランダムアクセスチャネル構成が前記第１のランダムアクセスチャネル構成に対して直交的であるという結果である場合の、前記通信デバイス（１２１）により前記少なくとも第２のセル（１１６，１１７）を構成するために要する時間（Ｔ１）は、前記判定の前記結果が前記第２のランダムアクセスチャネル構成が前記第１のランダムアクセスチャネル構成に対して直交的ではないという結果である場合の、前記通信デバイス（１２１）により前記少なくとも第２のセル（１１６，１１７）を構成するために要する時間（Ｔ２）よりも短い、請求項１に記載の方法。
【請求項３】
前記通信デバイス（１２１）により前記少なくとも第２のセル（１１６，１１７）を構成するために要する時間（Ｔ１）は、前記第１のセル（１１５）上でランダムアクセスを実行するための時間を含まず、
前記通信デバイス（１２１）により前記少なくとも第２のセル（１１６，１１７）を構成するために要する時間（Ｔ２）は、前記第１のセル（１１５）上でランダムアクセスを実行するための時間を含む、
請求項１〜２のいずれかに記載の方法。
【請求項４】
前記通信デバイス（１２１）により前記少なくとも第２のセル（１１６，１１７）を構成するために要する時間（Ｔ１）及び時間（Ｔ２）は、予め定義されるルールに基づいて前記通信デバイス（１２１）により判定される、請求項１〜３のいずれかに記載の方法。
【請求項５】
前記第１のランダムアクセスチャネル構成及び前記少なくとも第２のランダムアクセスチャネル構成は、前記第１のランダムアクセスチャネル構成に従った前記通信デバイス（１２１）からのランダムアクセス送信が少なくとも第２のランダムアクセスチャネル構成に従った前記通信デバイス（１２１）からのランダムアクセス送信と時間的に重複しない場合に、互いを基準として直交的である、請求項１〜４のいずれかに記載の方法。
【請求項６】
前記第１のセルは、マスターセルグループ（ＭＣＧ）へ属し、前記第２のセルは、セカンダリセルグループ（ＳＣＧ）へ属する、請求項１〜５のいずれかに記載の方法。
【請求項７】
無線通信ネットワーク（１００）において改善されたランダムアクセス送信を可能にするための通信デバイス（１２１）であって、前記通信デバイス（１２１）は、第１のネットワークノード（１１０）の第１のセル（１１５）、及び、少なくとも第２のネットワークノード（１１１，１１２）の少なくとも第２のセル（１１６，１１７）において、デュアルコネクティビティのために構成可能であり、
前記第１のセル（１１５）において使用される第１のランダムアクセスチャネル構成を示す情報を取得し、
前記少なくとも第２のセル（１１６，１１７）において使用される少なくとも第２のランダムアクセスチャネル構成を示す情報を取得し、
前記少なくとも第２のランダムアクセスチャネル構成が前記第１のランダムアクセスチャネル構成に対して直交的であるか否かを判定し、
前記判定の結果を用いて、前記通信デバイス（１２１）により前記少なくとも第２のセル（１１６，１１７）を構成するために要する時間を判定する、
ように構成される、通信デバイス（１２１）。
【請求項８】
前記判定の前記結果が前記第２のランダムアクセスチャネル構成が前記第１のランダムアクセスチャネル構成に対して直交的であるという結果である場合の、前記通信デバイス（１２１）により前記少なくとも第２のセル（１１６，１１７）を構成するために要する時間（Ｔ１）は、前記判定の前記結果が前記第２のランダムアクセスチャネル構成が前記第１のランダムアクセスチャネル構成に対して直交的ではないという結果である場合の、前記通信デバイス（１２１）により前記少なくとも第２のセル（１１６，１１７）を構成するために要する時間（Ｔ２）よりも短い、請求項７に記載の通信デバイス（１２１）。
【請求項９】
前記通信デバイス（１２１）により前記少なくとも第２のセル（１１６，１１７）を構成するために要する時間（Ｔ１）は、前記第１のセル（１１５）上でランダムアクセスを実行するための時間を含まず、
前記通信デバイス（１２１）により前記少なくとも第２のセル（１１６，１１７）を構成するために要する時間（Ｔ２）は、前記第１のセル（１１５）上でランダムアクセスを実行するための時間を含む、
請求項７〜８のいずれかに記載の通信デバイス（１２１）。
【請求項１０】
前記通信デバイス（１２１）は、前記通信デバイス（１２１）により前記少なくとも第２のセル（１１６，１１７）を構成するために要する時間（Ｔ１）及び時間（Ｔ２）を、予め定義されるルールに基づいて判定する、ように構成される、請求項７〜９のいずれかに記載の通信デバイス（１２１）。
【請求項１１】
前記第１のランダムアクセスチャネル構成及び前記少なくとも第２のランダムアクセスチャネル構成は、前記第１のランダムアクセスチャネル構成に従った前記通信デバイス（１２１）からのランダムアクセス送信が少なくとも第２のランダムアクセスチャネル構成に従った前記通信デバイス（１２１）からのランダムアクセス送信と時間的に重複しない場合に、直交的である、請求項７〜１０のいずれかに記載の通信デバイス（１２１）。
【請求項１２】
プロセッサ（１１１０）と、前記プロセッサ（１１１０）により実行可能な命令を収容するメモリ（１１２０）と、をさらに備える、請求項７〜１１のいずれかに記載の通信デバイス（１２１）。
【請求項１３】
無線通信ネットワーク（１００）において通信デバイス（１２１）の改善されたランダムアクセス送信を可能にするための、第１のネットワークノード（１１０）により実行される方法であって、前記通信デバイス（１２１）は、前記第１のネットワークノード（１１０）の第１のセル（１１５）、及び、少なくとも第２のネットワークノード（１１１，１１２）の少なくとも第２のセル（１１６，１１７）において、デュアルコネクティビティのために構成可能であり、前記方法は、
前記少なくとも第２のセル（１１６，１１７）において使用される少なくとも第２のランダムアクセスチャネル構成を示す情報を取得することと、
前記少なくとも第２のランダムアクセスチャネル構成が前記第１のセル（１１５）における第１のランダムアクセスチャネル構成に対して直交的であるか否かを判定することと、
前記判定の結果を用いて、前記通信デバイス（１２１）により前記少なくとも第２のセル（１１６，１１７）を構成するために要する時間を判定することと、
を含む方法。
【請求項１４】
前記判定の前記結果が前記第２のランダムアクセスチャネル構成が前記第１のランダムアクセスチャネル構成に対して直交的であるという結果である場合の、前記通信デバイス（１２１）により前記少なくとも第２のセル（１１６，１１７）を構成するために要する時間（Ｔ１）は、前記判定の前記結果が前記第２のランダムアクセスチャネル構成が前記第１のランダムアクセスチャネル構成に対して直交的ではないという結果である場合の、前記通信デバイス（１２１）により前記少なくとも第２のセル（１１６，１１７）を構成するために要する時間（Ｔ２）よりも短い、請求項１３に記載の方法。
【請求項１５】
前記通信デバイス（１２１）により前記少なくとも第２のセル（１１６，１１７）を構成するために要する時間（Ｔ１）は、前記第１のセル（１１５）上でランダムアクセスを実行するための時間を含まず、
前記通信デバイス（１２１）により前記少なくとも第２のセル（１１６，１１７）を構成するために要する時間（Ｔ２）は、前記第１のセル（１１５）上でランダムアクセスを実行するための時間を含む、
請求項１３〜１４のいずれかに記載の方法。
【請求項１６】
前記通信デバイス（１２１）により前記少なくとも第２のセル（１１６，１１７）を構成するために要する時間（Ｔ１）及び時間（Ｔ２）は、予め定義されるルールに基づいて前記第１のネットワークノード（１１０）により判定される、請求項１３〜１５のいずれかに記載の方法。
【請求項１７】
前記第１のランダムアクセスチャネル構成及び前記少なくとも第２のランダムアクセスチャネル構成は、前記第１のランダムアクセスチャネル構成に従った前記通信デバイス（１２１）からのランダムアクセス送信が少なくとも第２のランダムアクセスチャネル構成に従った前記通信デバイス（１２１）からのランダムアクセス送信と時間的に重複しない場合に、互いを基準として直交的である、請求項１３〜１６のいずれかに記載の方法。
【請求項１８】
前記第１のセルは、マスターセルグループ（ＭＣＧ）へ属し、前記第２のセルは、セカンダリセルグループ（ＳＣＧ）へ属する、請求項１３〜１７のいずれかに記載の方法。
【請求項１９】
無線通信ネットワーク（１００）において通信デバイス（１２１）の改善されたランダムアクセス送信を可能にするための第１のネットワークノード（１１０）であって、前記通信デバイス（１２１）は、前記第１のネットワークノード（１１０）の第１のセル（１１５）、及び、少なくとも第２のネットワークノード（１１１，１１２）の少なくとも第２のセル（１１６，１１７）において、デュアルコネクティビティのために構成可能であり、前記第１のネットワークノード（１１０）は、
前記少なくとも第２のセル（１１６，１１７）において使用される少なくとも第２のランダムアクセスチャネル構成を示す情報を取得し、
前記少なくとも第２のランダムアクセスチャネル構成が前記第１のセル（１１５）における第１のランダムアクセスチャネル構成に対して直交的であるか否かを判定し、
前記判定の結果を用いて、前記通信デバイス（１２１）により前記少なくとも第２のセル（１１６，１１７）を構成するために要する時間を判定する、
ように構成される、第１のネットワークノード（１１０）。
【請求項２０】
前記判定の前記結果が前記第２のランダムアクセスチャネル構成が前記第１のランダムアクセスチャネル構成に対して直交的であるという結果である場合の、前記通信デバイス（１２１）により前記少なくとも第２のセル（１１６，１１７）を構成するために要する時間（Ｔ１）は、前記判定の前記結果が前記第２のランダムアクセスチャネル構成が前記第１のランダムアクセスチャネル構成に対して直交的ではないという結果である場合の、前記通信デバイス（１２１）により前記少なくとも第２のセル（１１６，１１７）を構成するために要する時間（Ｔ２）よりも短い、請求項１９に記載の第１のネットワークノード（１１０）。
【請求項２１】
前記通信デバイス（１２１）により前記少なくとも第２のセル（１１６，１１７）を構成するために要する時間（Ｔ１）は、前記第１のセル（１１５）上でランダムアクセスを実行するための時間を含まず、
前記通信デバイス（１２１）により前記少なくとも第２のセル（１１６，１１７）を構成するために要する時間（Ｔ２）は、前記第１のセル（１１５）上でランダムアクセスを実行するための時間を含む、
請求項１９〜２０のいずれかに記載の第１のネットワークノード（１１０）。
【請求項２２】
前記第１のネットワークノード（１１０）は、前記通信デバイス（１２１）により前記少なくとも第２のセル（１１６，１１７）を構成するために要する時間（Ｔ１）及び時間（Ｔ２）を、予め定義されるルールに基づいて判定する、ように構成される、請求項１９〜２１のいずれかに記載の第１のネットワークノード（１１０）。
【請求項２３】
前記第１のランダムアクセスチャネル構成及び前記少なくとも第２のランダムアクセスチャネル構成は、前記第１のランダムアクセスチャネル構成に従った前記通信デバイス（１２１）からのランダムアクセス送信が少なくとも第２のランダムアクセスチャネル構成に従った前記通信デバイス（１２１）からのランダムアクセス送信と時間的に重複しない場合に、直交的である、請求項１９〜２２のいずれかに記載の第１のネットワークノード（１１０）。
【請求項２４】
プロセッサ（１２１０）と、前記プロセッサ（１２１０）により実行可能な命令を収容するメモリ（１２２０）と、をさらに備える、請求項１９〜２３のいずれかに記載の第１のネットワークノード（１１０）。
【請求項２５】
少なくとも１つのプロセッサ（１１１０，１２１０）上で実行された場合に、前記少なくとも１つのプロセッサ（１１１０，１２１０）に、請求項１〜６及び／又は請求項１３〜１８のいずれかに記載の方法を遂行させる命令、を含むコンピュータプログラムプロダクト。
【請求項２６】
請求項１９に記載のコンピュータプログラムプロダクトを収容する担体であって、電子信号、光信号、無線信号又はコンピュータ読取可能な記憶媒体、のうちの１つである、担体。
【発明の詳細な説明】
【技術分野】
【０００１】
ここでの実施形態は、無線通信ネットワークにおけるランダムアクセス送信に関する。具体的には、ここでの実施形態は、無線通信ネットワークにおいて改善されたランダムアクセス送信を可能にするための、ワイヤレス通信デバイス及びそこでの方法に関する。さらに、ここでの実施形態は、無線通信ネットワークにおいて改善されたランダムアクセス送信を可能にするための、ネットワークノード及びそこでの方法にも関する。
【背景技術】
【０００２】
典型的な無線通信ネットワークにおいて、移動局、端末及び／又はユーザ機器（ＵＥ）としても知られるワイヤレス端末は、１つ以上のコアネットワークへ無線アクセスネットワーク（ＲＡＮ）を介して通信する。無線アクセスネットワークは、複数のセルエリアへ分割される地理的エリアをカバーし、各セルエリアは例えば無線基地局（ＲＢＳ）といった基地局又はネットワークノードによりサービスされる。基地局は、いくつかのネットワークでは、例えば“ノードＢ”、“ｅＮＢ”又は“ｅＮｏｄｅＢ”としても言及され得る。
【０００３】
ＵＭＴＳ（Universal  Mobile  Telecommunications  System）は、第３世代モバイル通信システムであり、当該システムは、第２世代（２Ｇ）のＧＳＭ（Global  System  for  Mobile  Communications）から進化した。ＵＴＲＡＮ（UMTS  terrestrial  radio  access  network）は、本質的に、ユーザ機器について広帯域符号分割多重アクセス（ＷＣＤＭＡ）及び／又は高速パケットアクセス（ＨＳＰＡ）を用いるＲＡＮである。３ＧＰＰ（3rd  Generation  Partnership  Project）として知られるフォーラムにおいて、通信サプライヤは、第３世代ネットワーク及び具体的にはＵＴＲＡＮについて標準を提案し及び合意し、並びに、強化されたデータレート及び無線キャパシティを探求している。ＲＡＮのいくつかのバージョンにおいて、例えばＵＭＴＳにおける場合のように、複数の基地局が、例えば地上回線又はマイクロ波によって無線ネットワークコントローラ（ＲＮＣ）又は基地局コントローラ（ＢＳＣ）といったコントローラノードへ接続され得る。コントローラノードは、当該コントローラノードへ接続される複数の基地局／ネットワークノードの多様なアクティビティを監督し及び協調させる。ＲＮＣは、典型的には、１つ以上のコアネットワークへ接続される。
【０００４】
ＥＰＳ（Evolved  Packet  System）についての仕様は、３ＧＰＰ（3rd  Generation  Partnership  Project）内で完了済みであり、来たるべき３ＧＰＰリリースにおいて継続されることになる。ＥＰＳは、ＬＴＥ（Long  Term  Evolution）無線アクセスとしても知られるＥ−ＵＴＲＡＮ（Evolved  Universal  Terrestrial  Radio  Access  Network）と、ＳＡＥ（System  Architecture  Evolution）コアネットワークとしても知られるＥＰＣ（Evolved  Packet  Core）とを含む。Ｅ−ＵＴＲＡＮ／ＬＴＥは、無線基地局ノードがＲＮＣではなくＥＰＣコアネットワークへ直接的に接続されるという、３ＧＰＰ無線アクセス技術の一変種である。概して、Ｅ−ＵＴＲＡＮ／ＬＴＥにおいて、ＲＮＣの機能は、例えばＬＴＥにおけるｅＮｏｄｅＢといった無線基地局ノードと、コアネットワークとの間で分散される。そのため、ＥＰＳの無線アクセスネットワーク（ＲＡＮ）は、本質的には、ＲＮＣへのレポーティングを伴わない複数の無線基地局ノードを含む、フラットなアーキテクチャを有する。
【０００５】
［ランダムアクセス］
ＬＴＥにおいて、いかなる通信システムでもそうであるように、ワイヤレス通信デバイスは、アップリンク（ＵＬ）、即ちワイヤレス通信デバイスから基地局へのリンクにおいて、専用のリソースを有することなく、基地局（ｅＮｏｄｅＢ）を介してネットワークへコンタクトする必要があり得る。これを扱うために、ランダムアクセス手続が利用可能であり、専用ＵＬリソースを有しないワイヤレス通信デバイスは、同手続において基地局へ信号を送信し得る。同手続の最初のメッセージは、典型的には、ランダムアクセスのために予約されている特殊なリソースである物理ランダムアクセスチャネル（ＰＲＡＣＨ）上で、送信される。このチャネルは、例えば、ＬＴＥにおいてそうであるように、時間及び／又は周波数において制限を有し得る。これが図１に描かれている。ＰＲＡＣＨ送信のために利用可能なリソースは、システム情報ブロック２（ＳＩＢ−２）内でブロードキャストされるシステム情報の一部として（又は例えばハンドオーバのケースでは専用ＲＲＣシグナリングの一部として）、端末へ提供される。
【０００６】
上記リソースは、プリアンブルシーケンス及び時間／周波数リソースからなる。各セルにおいて、６４個のプリアンブルシーケンスが利用可能である。６４個のシーケンスの２つのサブセットが定義され、各サブセット内のシーケンスの集合がシステム情報の一部としてシグナリングされる。（競合ベースの）ランダムアクセス試行が行われる場合、端末は、複数のサブセットのうちの１つのサブセット内の１つのシーケンスをランダムに選択する。同一の時点で同一のシーケンスを用いてランダムアクセス試行を行っている他の端末が存在しない限り、衝突は発生せず、試行は高い確率でｅＮｏｄｅＢにより検出されることになる。
【０００７】
ＬＴＥでは、ランダムアクセス手続は、異なる複数の理由のために使用されてよい。それら理由は、例えば、（ＲＲＣ＿ＩＤＬＥ状態にあるワイヤレス通信デバイスのための）初期アクセス、ハンドオーバによる流入、ＵＬの再同期、（基地局へコンタクトするために何らの他のリソースも割り当てられていないワイヤレス通信デバイスのための）スケジューリング要求、測位などである。
【０００８】
図２は、ＬＴＥリリース１０において使用される競合ベースのランダムアクセス手続を例示しており、即ち、ＬＴＥでの競合ベースのランダムアクセス手続のためのエアインタフェース上のシグナリングを示している。
【０００９】
ワイヤレス通信デバイスは、競合ベースのランダムアクセスのために利用可能なプリアンブルのうちの１つをランダムに選択することにより、ランダムアクセス手続を開始する。次いで、ワイヤレス通信デバイスは、物理ランダムアクセスチャネル（ＰＲＡＣＨ）上でＲＡＮ内のｅＮｏｄｅＢへ、選択したランダムアクセスプリアンブルを送信する。ＲＡＣＨは、ＰＲＡＣＨ上でワイヤレス通信デバイスにより送信されるトランスポートチャネルである。
【００１０】
ＲＡＮは、自身が検出したどのプリアンブルに対しても、ランダムアクセスレスポンス（ＭＳＧ２）を送信することにより確認応答を行う。ＭＳＧ２は、アップリンク共有チャネル上で使用すべき初期のグラント、テンポラリＣ−ＲＮＴＩ（ＴＣ−ＲＮＴＩ）、及び、ＰＲＡＣＨ上でｅＮｏｄｅＢにより測定されたプリアンブルのタイミングオフセットに基づく時間アラインメント（ＴＡ）更新を含む。ＭＳＧ２は、ＤＬにおいてＰＤＳＣＨを用いてワイヤレス通信デバイスへ送信され、その対応するＰＤＣＣＨメッセージであってＰＤＳＣＨをスケジューリングする当該ＰＤＣＣＨメッセージは、ＲＡ−ＲＮＴＩでスクランブリングされるＣＲＣ（cyclic  redundancy  check）を含む。上記レスポンスを受信した場合、ワイヤレス通信デバイスは、上記グラントを用いてメッセージ（ＭＳＧ３）を送信する。ＭＳＧ３は、部分的には、無線リソース制御の確立をトリガするために使用され、部分的には、セルの共通的なチャネル上でワイヤレス通信デバイスを一意に識別するために使用される。ランダムアクセスレスポンスにおいて提供されるタイミングアラインメントコマンドは、ＭＳＧ３におけるＵＬ送信において適用される。加えて、ｅＮＢは、ＭＳＧ２内に含まれていたＴＣ−ＲＮＴＩでスクランブリングされるＣＲＣを有するＵＬグラントを送信することにより、ＭＳＧ３の送信に割り当てられているリソースブロックを変更してもよい。このケースでは、アップリンクグラントを収容するＤＣＩを送信するために、ＰＤＣＣＨが使用される。次いで、ワイヤレス通信デバイスが以前に割り当てられたＣ−ＲＮＴＩを有する場合、Ｃ−ＲＮＴＩでスクランブリングされたＰＤＣＣＨ  ＣＲＣを有するＭＳＧ４が競合解決を行う。ワイヤレス通信デバイスが以前に割り当てられたＣ−ＲＮＴＩを有しない場合には、ＭＳＧ４は、ＭＳＧ２から取得されるＴＣ−ＲＮＴＩでスクランブリングされたＰＤＣＣＨ  ＣＲＣを有する。本手続は、複数のワイヤレス通信デバイスが同時に同一のプリアンブルを送信した場合に生じ得るプリアンブルの競合をＲＡＮが解決することで終了する。プリアンブルの競合は、各ワイヤレス通信デバイスがいつ送信を行うか及びどのプリアンブルを使用するかをランダムに選択することから生じ得る。複数のワイヤレス通信デバイスがＲＡＣＨ上での送信のために同一のプリアンブルを選択すると、それらワイヤレス通信デバイスの間で競合が存在することになり、競合は競合解決メッセージ（ＭＳＧ４）を通じて解決される必要がある。
【００１１】
競合が生じるケースが図３に例示されている。図３は、２つのワイヤレス通信デバイスの間に競合が存在する、競合ベースのランダムアクセスを例示している。ここでは、２つのワイヤレス通信デバイスが同一のプリアンブルｐ５を同時に送信する。第３のワイヤレス通信デバイスも同時に同じＲＡＣＨで送信を行うが、異なるプリアンブルｐ１を送信することから、当該ワイヤレス通信デバイスと他の２つのワイヤレス通信デバイスとの間に競合は存在しない。
【００１２】
ワイヤレス通信デバイスは、非競合ベースのランダムアクセスを実行してもよい。非競合ベースのランダムアクセスあるいは競合無し（contention  free）ランダムアクセスは、例えば、ｅＮＢにより、ワイヤレス通信デバイスにＵＬの同期を達成させるために開始され得る。ｅＮＢは、非競合ベースのランダムアクセスを、ＰＤＣＣＨ指令を送信するか又はＲＲＣメッセージにおいてそれを指示するかのいずれかによって開始する。これら２つのうちの後者は、ＨＯのケースで使用される。
【００１３】
ｅＮＢは、競合ベースのランダムアクセスを実行するようにＰＤＣＣＨメッセージを通じてワイヤレス通信デバイスへ指令をしてもよく、そのための手続が図３に例示されている。競合無しランダムアクセスをワイヤレス通信デバイスが実行するための手続は、以下のように図４に例示されている。競合ベースのランダムアクセスと同様に、ＤＬにおいてワイヤレス通信デバイスへＭＳＧ２が送信され、その対応するＰＤＣＣＨメッセージのＣＲＣはＲＡ−ＲＮＴＩでスクランブリングされる。ワイヤレス通信デバイスは、ＭＳＧ２を成功裏に受信した後、競合解決が成功裏に完了したものと見なす。競合無しランダムアクセスについて、競合ベースのランダムアクセスのように、ＭＳＧ２はタイミングアラインメント値を含む。これにより、ｅＮＢがワイヤレス通信デバイスにより送信されたプリアンブルに従って初期の／更新されるタイミングを設定することが可能となる。
【００１４】
図４は、ＬＴＥにおける競合無しランダムアクセス手続のためのエアインタフェース上でのシグナリングを示している。
【００１５】
［デュアルコネクティビティ］
デュアルコネクティビティのフレームワークは、現在のところ、ＬＴＥリリース１２へ向けて検討されている。デュアルコネクティビティ（ＤＣ）は、所与のワイヤレス通信デバイスがＲＲＣ＿ＣＯＮＮＥＣＴＥＤの最中に非理想的なバックホールで接続される少なくとも２つの異なるネットワーク地点、即ちマスターｅＮＢ（ＭｅＮＢ）及びセカンダリｅＮＢ（ＳｅＮＢ）、により提供される無線リソースを消費する動作をいう。デュアルコネクティビティでのワイヤレス通信デバイスは、アンカーノード及びブースターノードへの同時接続を維持する。ここで、ＭｅＮＢは互換可能にアンカーノードと呼ばれ、ＳｅＮＢは互換可能にブースターノードと呼ばれる。その名称が示唆するように、ＭｅＮＢは、ＳｅＮＢの接続及びハンドオーバを制御する。リリース１２に向けては、ＳｅＮＢのスタンドアローンのハンドオーバは定義されない。ＳｅＮＢの変更においてさえ、ＭｅＮＢにおけるシグナリングが必要とされる。アンカーノード及びブースターノードの双方がワイヤレス通信デバイスへ向けた制御プレーン接続を終端してよく、よって、それら双方がワイヤレス通信デバイスの制御ノードであり得る。
【００１６】
ワイヤレス通信デバイスは、アンカーノードからのシステム情報を読み取る。アンカーノードに加えて、ワイヤレス通信デバイスは、追加的なユーザプレーンのサポートのために、１つ又は複数のブースターノードへ接続されてよい。ＭｅＮＢ及びＳｅＮＢは、Ｘｎインタフェースを介して接続され、そのインタフェースは現在のところ２つのｅＮＢの間のＸ２インタフェースと同じものとして選択されている。
【００１７】
より具体的には、デュアルコネクティビティ（ＤＣ）は、ワイヤレス通信デバイスがマスターセルグループ（ＭＣＧ）及びセカンダリセルグループ（ＳＣＧ）と共に構成される、ＲＲＣ＿ＣＯＮＮＥＣＴＥＤ状態におけるワイヤレス通信デバイスの動作モードである。セルグループ（ＣＧ）は、ＭｅＮＢ又はＳｅＮＢのいずれかに関連付けられるサービングセルのグループである。ＭＣＧ及びＳＣＧは、次のように定義される：
−マスターセルグループ（ＭＣＧ）は、ＰＣｅｌｌ及びオプションとして１つ以上のＳＣｅｌｌからなる、ＭｅＮＢに関連付けられるサービングセルのグループである。
−セカンダリセルグループ（ＳＣＧ）は、ＰＳＣｅｌｌ（プライマリＳＣｅｌｌ）及びオプションとして１つ以上のＳＣｅｌｌからなる、ＳｅＮＢに関連付けられるサービングセルのグループである。
【００１８】
マスターｅＮＢは、少なくともＳ１−ＭＭＥを終端するｅＮＢである。セカンダリｅＮＢは、ワイヤレス通信デバイスのために追加的な無線リソースを提供しているがマスターｅＮＢではないｅＮＢである。
【００１９】
図５は、デュアルコネクティビティの配備シナリオを例示している。ここでは、デュアルコネクティビティのセットアップが説明される。この例において、１つのＳｅＮＢのみがワイヤレス通信デバイスへ接続されているが、概して、１つよりも多くのＳｅＮＢがワイヤレス通信デバイスへサービスしてもよい。図５に示したように、デュアルコネクティビティは、ワイヤレス通信デバイスの固有の特徴であり、ネットワークノードは、デュアル接続をするワイヤレス通信デバイス及びレガシーのワイヤレス通信デバイスを同時にサポートしてもよい。上で言及したように、アンカー及びブースターの役割は、ワイヤレス通信デバイスの視点から定義される。これは、あるワイヤレス通信デバイスについてアンカーとして動作するノードが、他のワイヤレス通信デバイスについてブースターとして動作し得ることを意味する。同様に、ワイヤレス通信デバイスはアンカーノードからのシステム情報を読み取るが、あるワイヤレス通信デバイスについてブースターとして動作するノードが、他のワイヤレス通信デバイスへシステム情報を配信してもしなくてもよい。ここで言及するに値することとして、本文書では、アンカーノード及びＭｅＮＢが互換可能な意味で使用されており、同様に、ＳｅＮＢ及びブースターノードもまた互換可能に使用されている。
【００２０】
ＭｅＮＢは、システム情報を提供し、制御プレーンを終端してもよく、ユーザプレーンをも終端してもよい。ＳｅＮＢは、制御プレーンを終端してもよく、ユーザプレーンのみを終端してもよい。
【００２１】
１つの実施形態において、デュアルコネクティビティは、ワイヤレス通信デバイスが２つのノードへ接続して双方のノードからデータを受信し、そのデータレートを増加させることを可能にする。このユーザプレーンの統合が、理想的なバックホールともいう低遅延のバックホール／ネットワーク接続では接続されていない複数のネットワークノードを用いて、キャリアアグリゲーションと同様の利益を達成する。この低遅延のバックホールの欠如に起因して、スケジューリング及びワイヤレス通信デバイスからノードの各々へのＨＡＲＱ−ＡＣＫフィードバックは、別々に実行される必要があるであろう。即ち、ワイヤレス通信デバイスは、接続先のノードへＵＬの制御信号及びデータを送信するための２つのＵＬ送信機を有するものとされることが予期される。
【００２２】
［デュアルコネクティビティにおけるＰＳＣｅｌｌのアクティブ化］
デュアルコネクティビティにおいて、ワイヤレス通信デバイスは、２つのｅＮｏｄｅＢへ、即ちＭｅＮＢ及びＳｅＮＢへ同時に接続している。それらの各々は、ダウンリンク（ＤＬ）キャリアアグリゲーション（ＣＡ）動作又はダウンリンク（ＤＬ）及びアップリンク（ＵＬ）ＣＡ動作のために構成され得る１つ以上の関連付けられるＳＣｅｌｌを有し得る。ＳＣｅｌｌは、ＭｅＮＢ及びＳｅＮＢへそれぞれ時間合わせされるが、ＭｅＮＢ及びＳｅＮＢは、フレームタイミング及び／又はＳＦＮ（Serial  Frame  Number）を基準として時間合わせされていてもいなくてもよい。２つの動作モードが定義される：
−同期的動作：ＰＣｅｌｌ及びＰＳＣｅｌｌの間のダウンリンクフレーム時間差が±３３μｓの範囲内である
−非同期的動作：ＰＣｅｌｌ及びＰＳＣｅｌｌの間の時間差が任意であり、但し０．５ｍｓまでに制限される
【００２３】
ＰＳＣｅｌｌに関して、ＰＳＣｅｌｌがＰＣｅｌｌにより（即ち、ＭｅＮＢにより）構成されること、並びに、ＰＳＣｅｌｌが構成においてアクティブ化されること及びＭｅＮＢ又はＳｅＮＢによっては非アクティブ化できないことが合意されている。ＰＳＣｅｌｌの構成及び同時のアクティブ化はＭｅＮＢにより行われ、但しそれ以外についてＭｅＮＢ及びＳｅＮＢは独立してワイヤレス通信デバイスを動作させる。特に、ワイヤレス通信デバイスは、ＳｅＮＢをアクティブ化させる際に、まずＰＳＣｅｌｌへ向けてランダムアクセスを遂行して接続を確立し、リンクの品質を示すと共にアクティブ化が成功したことを確認する最初のＣＱＩレポートを送信し得るように割り当てを獲得しなければならない。
【発明の概要】
【発明が解決しようとする課題】
【００２４】
ここでの実施形態の目的は、無線通信ネットワークにおける無線アクセス送信を改善することである。
【課題を解決するための手段】
【００２５】
ここでの実施形態の第１の観点によれば、上記目的は、無線通信ネットワークにおいて改善されたランダムアクセス送信を可能にするための、通信デバイスにより実行される方法により達成される。上記通信デバイスは、第１のネットワークノードの第１のセル、及び、少なくとも第２のネットワークノードの少なくとも第２のセルにおいて、デュアルコネクティビティのために構成可能である。上記通信デバイスは、上記第１のセルにおいて使用される第１のランダムアクセスチャネル構成を示す情報を取得する。また、上記通信デバイスは、上記少なくとも第２のセルにおいて使用される少なくとも第２のランダムアクセスチャネル構成を示す情報を取得する。次いで、上記通信デバイスは、上記少なくとも第２のランダムアクセスチャネル構成が上記第１のランダムアクセスチャネル構成に対して直交的であるか否かを判定する。上記通信デバイスは、上記判定の結果を用いて、上記通信デバイスにより上記少なくとも第２のセルを構成するために要する時間を判定する。
【００２６】
ここでの実施形態の第２の観点によれば、上記目的は、無線通信ネットワークにおいて改善されたランダムアクセス送信を可能にするための通信デバイスにより達成され、上記通信デバイスは、第１のネットワークノードの第１のセル、及び、少なくとも第２のネットワークノードの少なくとも第２のセルにおいて、デュアルコネクティビティのために構成可能である。上記通信デバイスは、上記第１のセルにおいて使用される第１のランダムアクセスチャネル構成を示す情報を取得し、上記少なくとも第２のセルにおいて使用される少なくとも第２のランダムアクセスチャネル構成を示す情報を取得し、上記少なくとも第２のランダムアクセスチャネル構成が上記第１のランダムアクセスチャネル構成に対して直交的であるか否かを判定し、上記判定の結果を用いて、上記通信デバイスにより上記少なくとも第２のセルを構成するために要する時間を判定する、ように構成される。
【００２７】
ここでの実施形態の第３の観点によれば、上記目的は、無線通信ネットワークにおいて通信デバイスの改善されたランダムアクセス送信を可能にするための、第１のネットワークノードにより実行される方法により達成され、上記通信デバイスは、第１のネットワークノードの第１のセル、及び、少なくとも第２のネットワークノードの少なくとも第２のセルにおいて、デュアルコネクティビティのために構成可能である。上記第１のネットワークノードは、上記少なくとも第２のセルにおいて使用される少なくとも第２のランダムアクセスチャネル構成を示す情報を取得する。次いで、上記第１のネットワークノードは、上記少なくとも第２のランダムアクセスチャネル構成が上記第１のセルにおける第１のランダムアクセスチャネル構成に対して直交的であるか否かを判定する。また、上記第１のネットワークノードは、上記判定の結果を用いて、上記通信デバイスにより上記少なくとも第２のセルを構成するために要する時間を判定する。
【００２８】
ここでの実施形態の第４の観点によれば、上記目的は、無線通信ネットワークにおいて通信デバイスの改善されたランダムアクセス送信を可能にするための第１のネットワークノードにより達成され、上記通信デバイスは、上記第１のネットワークノードの第１のセル、及び、少なくとも第２のネットワークノードの少なくとも第２のセルにおいて、デュアルコネクティビティのために構成可能である。上記第１のネットワークノードは、上記少なくとも第２のセルにおいて使用される少なくとも第２のランダムアクセスチャネル構成を示す情報を取得し、上記少なくとも第２のランダムアクセスチャネル構成が上記第１のセルにおける第１のランダムアクセスチャネル構成に対して直交的であるか否かを判定し、上記判定の結果を用いて、上記通信デバイスにより上記少なくとも第２のセルを構成するために要する時間を判定する、ように構成される。
【発明の効果】
【００２９】
上述したように構成される通信デバイス及び／又は第１のネットワークノードを有することにより、少なくとも第２のセルの構成及びアクティブ化における遅延が回避され又は最小化され得る。よって、無線通信ネットワークにおけるランダムアクセス送信が改善される。
【図面の簡単な説明】
【００３０】
添付図面に関連して以下でより詳細に実施形態が説明されるであろう。
【００３１】
【図１】ランダムアクセスプリアンブル送信の概略図である。
【図２】ＬＴＥにおける競合ベースのランダムアクセス手続のシグナリングを描いたシグナリング図である。
【図３】無線通信ネットワーク内のワイヤレス通信デバイス及びネットワークノードを例示する概略ブロック図である。
【図４】ＬＴＥにおける競合無しランダムアクセス手続のシグナリングを描いたシグナリング図である。
【図５】デュアルコネクティビティの配備シナリオにおけるワイヤレス通信デバイス及びネットワークノードを例示する概略ブロック図である。
【図６】直交的なランダムアクセスの一例を描いた概略ブロック図である。
【図７】直交的なランダムアクセスの他の例を描いた概略ブロック図である。
【図８】無線通信ネットワーク内のワイヤレス通信デバイス及びネットワークノードの実施形態を例示する概略ブロック図である。
【図９】ワイヤレス通信デバイスにおける方法の実施形態を描いたフローチャートである。
【図１０】ネットワークノードにおける方法の実施形態を描いたフローチャートである。
【図１１】ワイヤレス通信デバイスの実施形態を描いた概略ブロック図である。
【図１２】ネットワークノードの実施形態を描いた概略ブロック図である。
【発明を実施するための形態】
【００３２】
ここでの図面は、概略的であって簡明さのために簡略化されており、単にここで呈示される実施形態の理解にとって本質的な詳細を示しており、他の詳細は除かれている。一貫して、同一の又は対応する部分若しくはステップについて、同じ参照番号が使用されている。
【００３３】
ここで説明される実施形態の理解を助ける図６〜図７を基準として、直交的なＰＲＡＣＨ構成を可能にするシナリオの全般的な説明が以下に記述される。図６は、異なる複数のＣＧについての直交するＲＡＣＨ送信を示している。図７は、フレーム境界が揃っていない場合の直交的なＰＲＡＣＨ送信を示している。
【００３４】
基本的なシナリオは、第１のキャリア周波数ｆ１上で動作する第１のサービングセルと共に構成されるＣＡ可能なワイヤレス通信デバイスを含み、当該ワイヤレス通信デバイスは、他のキャリアｆ２上で動作する、第２のサービングセルとしても知られる少なくとももう１つのサービングセルによりサービスされることも可能である。ワイヤレス通信デバイスは、さらに、２つよりも多くのサービングセルによりサービスされることが可能であってもよく、ＳＣｅｌｌとしても知られる。少なくともワイヤレス通信デバイスは、ダウンリンク及びアップリンクの双方において、第１及び第２のサービングセルによりサービスされることが可能である。
【００３５】
第１のサービングセル及び第２のサービングセルは、それぞれ第１のネットワークノード及び第２のネットワークノードによりサービスされる。いくつかの実施形態において、第１及び第２のネットワークノードは同一であってもよい。
【００３６】
第１のサービングセル及び第２のサービングセルは、それぞれ第１のＰＲＡＣＨ構成及び第２のＰＲＡＣＨ構成と共に構成される。ＰＲＡＣＨ構成は、ここでは、ワイヤレス通信デバイスがＰＲＡＣＨを送信し得る無線リソースに関連付けられる１つ以上のパラメータからなることを意味する。無線リソースは、ワイヤレス通信デバイスがＰＲＡＣＨを送信するセル内の機会（例えば、サブフレーム、リソースブロックのセット）である。第１のセルへのランダムアクセス送信がここで第１のＰＲＡＣＨとして言及されてもよい（即ち、ＤＣにおけるＰＣｅｌｌ  ＰＲＡＣＨ）。第２のセルへのランダムアクセス送信がここで第２のＰＲＡＣＨとして言及されてもよい（即ち、ＤＣにおけるＰＳＣｅｌｌ  ＰＲＡＣＨ）。
【００３７】
いくつかの実施形態において、第１及び第２のＰＲＡＣＨ構成は、互いに直交的であるように構成される。“直交的なＰＲＡＣＨ構成”との用語は、第１のＰＲＡＣＨ機会及び第２のＰＲＡＣＨ機会が重複しない期間中に生じることを示唆する。これにより、ワイヤレス通信デバイスが、異なる時点又は時間ピリオドにおいて、即ち非並列的に、第１のセル及び第２のセル内でＰＲＡＣＨを送信することが可能となる。そうした時間ピリオドの例は、サブフレーム、フレーム、時間スロット、シンボル、ＰＲＡＣＨ送信時間スロット、ＰＲＡＣＨピリオド、ＰＲＡＣＨ期間などである。直交的なＰＲＡＣＨ構成との用語は、単純に直交的なＰＲＡＣＨ、重複しないＰＲＡＣＨ、又は、重複しない時間若しくは直交的な時間でのＰＲＡＣＨ構成若しくは動作などと互換可能に呼ばれてもよい。また、留意すべきこととして、いくつかの実施形態によれば、“直交的なＰＲＡＣＨ構成”は、第１のＰＲＡＣＨ及び第２のＰＲＡＣＨが異なるセル上で生じることを示唆してもよい。即ち、それら異なるセルは、例えば異なる中央周波数を有するキャリアなど、互いに異なる周波数上で動作し得る。異なる周波数の例は、インター周波数キャリア、キャリアアグリゲーションに関与するコンポーネントキャリア、デュアルコネクティビティに関与するコンポーネントキャリアなどである。
【００３８】
直交的なＰＲＡＣＨ構成という概念は、以下でわずかな例と共に説明される。
【００３９】
第１の例において、第１のセル及び第２のセルの無線フレームは時間合わせされているものと想定される（例えば、それら無線フレームの始点の間の差異が３μｓよりも小さい）。アップリンク無線フレームもまた、ダウンリンク無線フレームの間のものと同じタイミング関係を有する。このケースにおいて、一例として、第１のＰＲＡＣＨ及び第２のＰＲＡＣＨがそれぞれ第１のセル及び第２のセル内のサブフレーム＃１及びサブフレーム＃２において構成されてよく、これが２つのＰＲＡＣＨの間の直交性を保証することになる。これは、図６に例示されている。
【００４０】
第２の例において、第１のセル及び第２のセルのサブフレームは時間合わせされているものと想定される（例えば、それらサブフレームの始点の間の差異が３μｓよりも小さい）。但し、それらの無線フレームは時間合わせされておらず、代わりに互いを基準として２サブフレーム分ずれている。それらのアップリンク無線フレーム及びサブフレームもまた、それぞれダウンリンク無線フレーム及びサブフレームの間のものと同じタイミング関係を有する。このケースにおいて、一例として、第１のＰＲＡＣＨ及び第２のＰＲＡＣＨがそれぞれ第１のセル及び第２のセル内のサブフレーム＃１及びやはりサブフレーム＃１において構成されてよく、これが２つのＰＲＡＣＨの間の直交性を依然として維持することになる。これは、図７に例示されている。
【００４１】
第３の例において、第１のセル及び第２のセルは任意の送信タイミングを有するものと想定され、即ち、それらのフレーム又はサブフレームの送信タイミングの間に良好に定義されたタイミング関係は存在しない。このケースでは、１つの例において、第１のＰＲＡＣＨ及び第２のＰＲＡＣＨは、それぞれ第１のセル内の無線フレームの始まり、第２のセル内の無線フレームの終わりにおいて、又はその逆で構成されてもよい。また別の例において、第１のＰＲＡＣＨ及び第２のＰＲＡＣＨは、時間的に重複しないことを保証するように、異なる無線フレームにおいて構成されてもよい。そのケースでは、上述した図は、サブフレームタイミングに関して及びフレームタイミングについても大きく異なる境界を有していてもよい。
【００４２】
いくつかの実施形態において、第３のＰＲＡＣＨを伴う第３のセルがさらに存在してもよい。実施形態は、いくつのセル及びそれらのＰＲＡＣＨ構成にも適用可能である。
【００４３】
特殊なケースとして、第１のサービングセル及び第２のサービングセルは、ワイヤレス通信デバイスのそれぞれＰＣｅｌｌ及びＰＳＣｅｌｌであり、ＤＣ動作においてそれぞれＭＣＧ及びＳＣＧへ属する。また、そのＤＣ動作において、第１のサービングセル及び第２のサービングセルは、ＭｅＮＢ及びＳｅＮＢによりそれぞれサービスされ又は管理される。
【００４４】
図８は、ここでの実施形態が実装され得る無線通信ネットワーク１００を描いている。いくつかの実施形態において、無線通信ネットワーク１００は、ＬＴＥ（Long  Term  Evolution）ネットワークといったワイヤレス通信ネットワークであってよい。ここでは無線通信ネットワーク１００がＬＴＥネットワークとして例示されるが、無線通信ネットワーク１００は、ＬＴＥアドバンスト、ＷＣＤＭＡ（Wideband  Code  Division  Multiple  Access）、ＧＳＭ／ＥＤＧＥ（Global  System  for  Mobile  communications/Enhanced  Data  rate  for  GSM  Evolution）、ＷｉＭａｘ（Worldwide  Interoperability  for  Microwave  Access）、ＵＭＢ（Ultra  Mobile  Broadband）若しくはＧＳＭ、又は任意の他の同様のセルラーネットワーク若しくはシステムのうちのいずれか１つの技術を採用してもよい。
【００４５】
無線通信システム１００は、ネットワークノード１１０を含む。ネットワークノード１１０は、少なくとも１つのセル１１５へサービスする。ネットワークノード１１０は、いかなる種類の無線ネットワークノード又はいかなるネットワークノードに相当してもよく、ワイヤレス通信デバイスと、及び／又は、例えば基地局、無線基地局、ｅＮＢ、ｅＮｏｄｅＢ、ホームノードＢ、ホームｅＮｏｄｅＢ、フェムト基地局（ＢＳ）、ピコＢＳなどの他のネットワークノードと通信する。ネットワークノード１１０のさらなる例は、例えば、リピータ、基地局（ＢＳ）、ＭＳＲ  ＢＳといったマルチ標準無線機（ＭＳＲ）無線ノード、ｅＮｏｄｅＢ、ネットワークコントローラ、無線ネットワークコントローラ（ＲＮＣ）、基地局コントローラ（ＢＳＣ）、中継機、中継機を制御するドナーノード、基地送受信局（ＢＴＳ）、アクセスポイント（ＡＰ）、送信ポイント、送信ノード、リモート無線ユニット（ＲＲＵ）、リモート無線ヘッド（ＲＲＨ）、分散アンテナシステム（ＤＡＳ）内のノード、コアネットワークノード（例えば、ＭＳＣ、ＭＭＥなど）、Ｏ＆Ｍ、ＯＳＳ、ＳＯＮ、測位ノード（例えば、Ｅ−ＳＭＬＣ）、ＭＤＴなどであってもよい。
【００４６】
セルは、基地局サイト又はリモート無線ユニット（ＲＲＵ）内のリモート位置にある無線基地局機器により無線カバレッジが提供される地理的エリアである。セルの定義は、送信のために使用される周波数帯域及び無線アクセス技術をも取り込んでよく、これは、２つの異なるセルが同じ地理的エリアをカバーし但し異なる周波数帯域を使用し得ることを意味する。各セルは、セル内にブロードキャストされる、局所的な無線エリアの範囲内のアイデンティティにより識別される。無線通信ネットワーク１００の全体で一意にセル１１５を識別する他のアイデンティティもまたセル１１５内でブロードキャストされる。ネットワークノード１１０は、ネットワークノード１１０のレンジ内のＵＥとの間で、無線周波数上で動作するエアインタフェース又は無線インタフェースを介して通信する。
【００４７】
図１において、ワイヤレス通信デバイス１２１は、セル１１５内に位置する。ワイヤレス通信デバイス１２１は、ネットワークノード１１０によりサービスされるセル１１５内に存在する場合に、無線リンク１３１上でネットワークノード１１０を介して無線通信ネットワーク１００内で通信する、ように構成される。ワイヤレス通信デバイス１２１は、セルラー、モバイル若しくは無線通信ネットワーク又はシステムにおいて、ネットワークノード及び／又は他の通信デバイスと通信するいかなるタイプの通信デバイス又はユーザ機器（ＵＥ）への言及であってもよい。そうしたワイヤレス通信デバイスの例は、モバイルフォン、セルラーフォン、ＰＤＡ（Personal  Digital  Assistants）、スマートフォン、タブレット、ＵＥを具備するセンサ、ＬＭＥ（Laptop  Mounted  Equipment）（例えば、ＵＳＢ）、ＬＥＥ（Laptop  Embedded  Equipments）、ＭＴＣ（Machine  Type  Communication）デバイス若しくはＭ２Ｍ（Machine  to  Machine）デバイス、ＣＰＥ（Customer  Premises  Equipment）、ターゲットデバイス、Ｄ２Ｄ（device-to-device）ワイヤレスデバイス、Ｍ２Ｍ（machine  to  machine）通信可能なワイヤレスデバイスなどである。
【００４８】
図１に示したように、無線通信システム１００は、さらに第２のネットワークノード１１１及び第３のネットワークノード１１２を含んでよい。ネットワークノード１１１、１１２は、少なくとも１つのセル１１６、１１７へサービスする。第２及び第３のネットワークノード１１１、１１２は、少なくとも１つのセル１１６、１１７においてワイヤレス通信デバイス１２１へサービスする、ように構成されてもよく、即ちデュアルコネクティビティ（ＤＣ）モードで動作する場合のセカンダリセルとして構成されてもよい。
【００４９】
ここで説明される実施形態の探究の一部として、問題が最初に識別され及び議論されるであろう。
【００５０】
デュアルコネクティビティモードあるいはＤＣモードで構成されているワイヤレス通信デバイスは、デュアルコネクティビティ動作において、マスターセルグループ（ＭＣＧ）内の自身のＰＣｅｌｌから、セカンダリセルグループ（ＳＣＧ）に属するセカンダリセル（ＰＳＣｅｌｌ）を構成し及びアクティブ化するためのリクエストを受信し得る。そのリクエストに応じて、ＰＳＣｅｌｌのための構成及びアクティブ化手続がワイヤレス通信デバイスにより開始され得る。この手続は、ワイヤレス通信デバイスがＰＳＣｅｌｌへランダムアクセス（ＲＡ）送信信号を成功裏に送信した場合に完了し、これは通常、ＰＳＣｅｌｌランダムアクセスチャネル（ＰＳＣｅｌｌ  ＲＡＣＨ）又はＰＳＣｅｌｌ物理ランダムアクセスチャネル（ＰＳＣｅｌｌ  ＰＲＡＣＨ）ともいう。しかしながら、そうした手続の期間中又はその開始時に、ワイヤレス通信デバイスは、１つ又は複数の理由に起因して、他のＲＡをＰＣｅｌｌにも送信しなければならないかもしれない。そうした理由の一例は、ワイヤレス通信デバイスが有効なアップリンクグラントを有しない際のワイヤレス通信デバイスのバッファへのデータの到着、測位リクエスト、又はＴＡタイマの満了などであり得る。ワイヤレス通信デバイスは、例えば２３ｄＢｍなどの自身の最大電力よりも大きい電力では送信不能であり得ることから、特にアップリンク電力の限界に起因して、ＰＳＣｅｌｌ及びＰＣｅｌｌへのＲＡ送信を同時に実行することができないかもしれない。
【００５１】
ＰＳＣｅｌｌ及びＰＣｅｌｌへの同時のＲＡ送信のケースにおいて、合意されていることとして、ワイヤレス通信デバイスは、ＰＣｅｌｌへのＲＡ送信、即ちＰＣｅｌｌ  ＰＲＡＣＨの送信を優先し、その送信が成功しない限り、ＰＳＣｅｌｌへのＲＡ送信、即ちＰＳＣｅｌｌ  ＰＲＡＣＨの送信を差し控えることを要する。
【００５２】
ＰＣｅｌｌ  ＰＲＡＣＨの送信の１回以上の試行が失敗することもあり得る。これは、例えば、他のワイヤレス通信デバイスにより送信されるＲＡ送信との衝突、干渉などに起因し得る。そうした要因を理由として、ＰＳＣｅｌｌ  ＰＲＡＣＨは、任意の予測不能な量の時間にわたって遅延し得る。これは転じて、ＰＳＣｅｌｌの構成及びアクティブ化を遅延させるであろう。また、遅延が長すぎて例えば１つ以上のフレームにわたるケースでは、ワイヤレス通信デバイスは、ＰＳＣｅｌｌ  ＳＣＧ上でスケジューリング不能となりかねず、従って、そのようにユーザ性能に影響が出ることになる。
【００５３】
従って、ＰＳＣｅｌｌの構成及びアクティブ化のそうした遅延を回避し又は少なくとも最小化するための解決策が必要とされる。この課題は、ここで呈示される実施形態により解決される。
【００５４】
図９に描かれたフローチャートを参照しながら、無線通信ネットワーク１００において改善されたランダムアクセス送信を可能にするための、ワイヤレス通信デバイス１２１により実行される方法の実施形態の例が以下に説明される。図９は、ワイヤレス通信デバイス１２１により行われ得るアクション又は動作の一例を示している。
【００５５】
ワイヤレス通信デバイス１２１は、第１のネットワークノード１１０の第１のセル１１５、及び少なくとも第２のネットワークノード１１１、１１２の少なくとも第２のセル１１６、１１７において、デュアルコネクティビティのために構成可能である。
【００５６】
［アクション９０１］
まず、ワイヤレス通信デバイス１２１は、第１のセル１１５内で使用される第１のランダムアクセスチャネル構成を示す情報を取得する。これは、例えば、ワイヤレス通信デバイス１２１によってシステム情報（ＳＩ）を取得することにより実行されてもよく、ＳＩは、ＰＲＡＣＨ構成、即ち１つ以上のセルの少なくとも第２のランダムアクセスチャネル構成を含む。ＳＩとは、例えば、マスター情報ブロック（ＭＩＢ）又はシステム情報ブロック（ＳＩＢ）などであり、ワイヤレス通信デバイス１２１によって取得され、ワイヤレス通信デバイス１２１は、自らが複数のセルのＳＩを取得してもよく、又はサービングセルのうちの１つからそれを受信してもよい。
【００５７】
［アクション９０２］
ワイヤレス通信デバイス１２１は、ここで、少なくとも第２のセル１１６、１１７において使用される少なくとも第２のランダムアクセスチャネル構成を示す情報をも取得する。これは、例えば、ワイヤレス通信デバイス１２１によってシステム情報（ＳＩ）を取得することにより実行されてもよく、ＳＩは、ＰＲＡＣＨ構成、即ち１つ以上のセルの少なくとも第２のランダムアクセスチャネル構成を含む。ＳＩとは、例えば、マスター情報ブロック（ＭＩＢ）又はシステム情報ブロック（ＳＩＢ）などであり、ワイヤレス通信デバイス１２１によって取得され、ワイヤレス通信デバイス１２１は、自らが複数のセルのＳＩを取得してもよく、又はサービングセルのうちの１つからそれを受信してもよい。
【００５８】
［アクション９０３］
本アクションにおいて、ワイヤレス通信デバイス１２１は、少なくとも第２のランダムアクセスチャネル構成が第１のランダムアクセスチャネル構成に対して直交的であるか否かを判定する。第１及び第２のランダムアクセスチャネル構成は、それぞれのランダムアクセス機会が互いに異なる時間リソースにおいて生じる場合に、互いを基準として直交的であるものと見なされてよい。
【００５９】
［アクション９０４］
アクション９０３における判定の後、ワイヤレス通信デバイス１２１は、アクション９０３での判定の結果を用いて、デュアルコネクティビティ、及び／又は、第１の又は少なくとも第２のランダムアクセスチャネル構成の適応のために使用されるセルの判定を行う。
【００６０】
アクション９０４ａ
いくつかの実施形態において、ワイヤレス通信デバイス１２１は、第１ネットワークノード１１０及び／又は少なくとも第２のネットワークノード１１１、１１２へ、アクション９０３での判定に基づいて少なくとも第２のセル１１６、１１７のうちのいずれがデュアルコネクティビティのために使用され得るか、を示す情報を送信する。それら実施形態は、ワイヤレス通信デバイス１２１により実行される、ＰＲＡＣＨ構成に基づいてサービングセルとしてのセルを推奨するための方法として言及され得る。
【００６１】
これら実施形態のいくつかにおいて、ＤＣで構成済みの若しくはＤＣで構成中の又はＤＣ動作が可能なワイヤレス通信デバイス１２１は、１つ以上の潜在的なサービングセルを、それらのＰＲＡＣＨ構成の間の関係を基準として自律的に判定してもよい。アクション９０１〜９０３において説明したように、２つ以上のセルのＰＲＡＣＨ構成を取得し、それに基づいてＰＲＡＣＨ構成が直交的であるか否かを判定することにより、ワイヤレス通信デバイス１２１は、互いに直交するＰＲＡＣＨ構成を有するサービングセルの潜在的なセットを選択し得る。ワイヤレス通信デバイス１２１が直交的なＰＲＡＣＨ構成を伴う複数のセルＬを決定したケースにおいて、ワイヤレス通信デバイス１２１は、Ｍ＜ＬとしてＭ個のセルを、１つ以上の追加的な基準に基づいて潜在的なセルとして選択してもよい。
【００６２】
例えば、いくつかの実施形態において、ワイヤレス通信デバイス１２１は、少なくとも第２のセル１１６、１１７のうち、デュアルコネクティビティのために使用し得るセルを、ワイヤレス通信デバイス１２１におけるセルの信号品質に基づいて決定してもよい。例えば、Ｌ個のセルのうち、ワイヤレス通信デバイス１２１により測定されるＲＳＲＱの大きいセルなど、ワイヤレス通信デバイス１２１において信号品質レベルの強い方からＭ個のセルが、潜在的なサービングセルとして選択される。代替的に、いくつかの実施形態において、ワイヤレス通信デバイス１２１は、少なくとも第２のセル１１６、１１７のうち、デュアルコネクティビティのために使用し得るセルを、それぞれのセルにおいて次のランダムアクセス送信がいつ生じるかに基づいて決定してもよい。例えば、Ｌ個のセルのうちの、ＰＲＡＣＨ送信機会が遠い方からＭ個のセルが、潜在的なサービングセルとして選択される。
【００６３】
いくつかの実施形態において、少なくとも第２のセル１１６、１１７のいずれがデュアルコネクティビティのために使用され得るかを示す情報は、デュアルコネクティビティで動作する際にワイヤレス通信デバイス１２１のために少なくとも第２のセル１１６、１１７のうちのいずれのセルをプライマリセル（ＰＳＣｅｌｌ）として使用し得るか、及び、デュアルコネクティビティで動作する際にワイヤレス通信デバイス１２１のために少なくとも第２のセル１１６、１１７のうちのいずれのセルをセカンダリセル（ＰＣｅｌｌ、ＳＣｅｌｌ）として使用し得るか、をさらに示してもよい。例えば、Ｍ個のセルをそれらのＰＲＡＣＨ構成を基準として潜在的なサービングセルとして選択した後、ワイヤレス通信デバイス１２１は、サービングセルへ、それら推奨されるサービングセル群に関する情報を提供してもよい。ワイヤレス通信デバイス１２１は、ＤＣ動作のために、ＰＣｅｌｌとして使用することが推奨されるセル、及び／又は、ＰＳＣｅｌｌとして使用することが推奨されるセルに関する情報さえも提供してもよい。ワイヤレス通信デバイス１２１からの上述した推奨情報を受信したネットワークノード１１０、１１１、１１２は、ＤＣ動作のためのワイヤレス通信デバイス１２１のＰＣｅｌｌ及び／又はＰＳＣｅｌｌを構成し又は再構成するために、それを使用してもよい。
【００６４】
アクション９０４ｂ
いくつかの実施形態において、ワイヤレス通信デバイス１２１は、第１のネットワークノード１１０及び／又は少なくとも第２のネットワークノード１１１、１１２へ、アクション９０３での判定に基づいて第１のランダムアクセスチャネル構成又は少なくとも第２のランダムアクセスチャネル構成が適応させられるべきであることを示す情報を送信する。これは、ワイヤレス通信デバイス１２１が、例えばその時点のＰＲＡＣＨインデックスであるその時点のＰＲＡＣＨ構成と比較して、例えば異なるＰＲＡＣＨインデックスである異なるＰＲＡＣＨ構成を用いて、例えばＰＣｅｌｌ又はＰＳＣｅｌｌであるサービングセルにおいて送信を行う必要があること、を暗黙的に又は明示的にネットワークノードへ通知し得ることを意味する。これら実施形態は、直交的なＰＲＡＣＨリソースの必要性をネットワークノードへ通知するための、ワイヤレス通信デバイス１２１により実行される方法として言及されてよい。
【００６５】
それら実施形態のいくつかにおいて、これは、第１のランダムアクセスチャネル構成又は少なくとも第２のランダムアクセスチャネル構成を用いたワイヤレス通信デバイス１２１によるランダムアクセス送信の予期される若しくは発生した障害又は遅延に基づいて、ワイヤレス通信デバイス１２１により実行されてもよい。言い換えれば、ワイヤレス通信デバイス１２１は、ＰＣｅｌｌ及び／又はＰＳＣｅｌｌでのＰＲＡＣＨ送信におけるＰＲＡＣＨ障害又は遅延が存在する場合にネットワークノードへの通知を行ってもよい。ＰＲＡＨＣ障害又は遅延は、ワイヤレス通信デバイス１２１において、ＰＣｅｌｌ及びＰＳＣｅｌｌへ向けたＰＲＡＣＨが同時に発生し又はそれらの同時送信の必要性が存在する場合に生じ得る。
【００６６】
いくつかの実施形態において、ワイヤレス通信デバイス１２１は、ＰＲＡＣＨに起きた障害若しくは通常起こる障害及び／又は起きた遅延若しくは通常起こる遅延の回数に関連する統計についてネットワークノードへ通知することにより、ネットワークノードへ暗黙的な通知を行ってもよい。これは、第１のランダムアクセスチャネル構成又は少なくとも第２のランダムアクセスチャネル構成を用いたワイヤレス通信デバイス１２１によるランダムアクセス送信の予期される若しくは発生した障害又は遅延に基づく統計情報を、その情報がさらに示し得ることを意味する。オプションとして、いくつかの実施形態において、ワイヤレス通信デバイス１２１は、ＰＳＣｅｌｌ及びＰＣｅｌｌ内のＰＲＡＣＨ構成が互いを基準として直交的となるようにＰＣｅｌｌ及び／又はＰＳＣｅｌｌ内のその時点のＰＲＡＣＨ構成を変更する必要があることをネットワークノードへ明示的にリクエストしてもよい。これは、第１のランダムアクセスチャネル構成及び少なくとも第２のランダムアクセスチャネル構成が互いを基準として直交的となるように第１のランダムアクセスチャネル構成又は少なくとも第２のランダムアクセスチャネル構成を変更するための、第１のネットワークノード１１０及び／又は少なくとも第２のネットワークノード１１１、１１２への明示的なリクエストを、その情報が含むことを意味する。
【００６７】
よって、第１のネットワークノード１１０及び／又は少なくとも第２のネットワークノード１１１、１１２などのネットワークノードは、上述した暗黙的な又は明示的な情報を取得すると、ＰＲＡＣＨ構成が互いを基準として直交的となるように、自身のＰＲＡＣＨ構成を適応させてもよく、及び／又は、１つ以上の隣接するネットワークノードへ、それらのＰＲＡＣＨ構成を適応させるようにリクエストしてもよい。また、いくつかの実施形態において、ネットワークノードは、２つ以上のワイヤレス通信デバイスから受信されるリクエストに基づいて、即ち統計に基づいて、自身のＰＲＡＣＨ構成を適応させてもよく、又は、他のネットワークノードへそれらのＰＲＡＣＨ構成を適応させるようにリクエストしてもよい。
【００６８】
アクション９０４ｃ
いくつかの実施形態において、ワイヤレス通信デバイス１２１は、第１のランダムアクセスチャネル構成又は少なくとも第２のランダムアクセスチャネル構成の代わりに第３のランダムアクセスチャネル構成及び少なくとも第４のランダムアクセスチャネル構成を用いて、ランダムアクセス送信信号を送信し得る。第３のランダムアクセスチャネル構成及び少なくとも第４のランダムアクセスチャネル構成は、それぞれ第１のランダムアクセスチャネル構成及び少なくとも第２のランダムアクセスチャネル構成のサブセットであって、アクション９０３での判定に基づいて互いに直交的である。これら実施形態は、自律的な直交ＰＲＡＣＨ送信のための、ワイヤレス通信デバイス１２１により実行される方法として言及されてよい。なぜなら、ここではワイヤレス通信デバイス１２１がＰＲＡＣＨを直交的なやり方で送信することを自律的に決定し得るからである。
【００６９】
例えば、ワイヤレス通信デバイス１２１は、ワイヤレス通信デバイス１２１の電力に制限があることを見出した場合に、異なるセルグループ（ＣＧ）について異なるＰＲＡＣＨ構成を用いることによる直交的なＰＲＡＣＨ送信パターンについて自ら決定を行ってもよい。このパターンは、ネットワークへ送信されてもされなくてもよい。よって、いくつかの実施形態において、ワイヤレス通信デバイス１２１は、第１のランダムアクセスチャネル構成及び／又は少なくとも第２のランダムアクセスチャネル構成を用いた同時のランダムアクセス送信のために利用可能な送信電力が決定される閾値を下回るか否かを判定し、利用可能な送信電力が当該決定される閾値を下回る場合に、第３のランダムアクセスチャネル構成及び少なくとも第４のランダムアクセスチャネル構成を用いた直交的なランダムアクセス送信を実行してもよい。また、ワイヤレス通信デバイス１２１は、第３のランダムアクセスチャネル構成及び／又は少なくとも第４のランダムアクセスチャネル構成で送信を行っていることを、第１のネットワークノード１１０及び／又は少なくとも第２のネットワークノード１１１、１１２へ送信してもよい、
【００７０】
以下の３ＧＰＰ  ＴＳ３６．２１１  ｖ．１２．３．０（２０１４年９月）のテーブル５．７．１−２に見られるように、ワイヤレス通信デバイス１２１は、ＭＣＧについてＰＲＡＣＨ構成インデックス０を、ＳＣＧについてＰＲＡＣＨ構成インデックス４を選択し得る。この手法で、複数のＰＲＡＣＨ送信が直交的になり得る。いくつかの実施形態において、関与するノードがＰＲＣＨ構成１４と共にＲＡＣＨリソースを構成する場合、ワイヤレス通信デバイス１２１は、ＭＣＧ及びＳＣＧへ、それぞれＰＲＡＣＨ構成１２及び１３を用いてＰＲＡＣＨを送信し得る。これにより、異なるＣＧへ向けたＰＲＡＣＨ送信が互いに直交的であることが保証されることになる。これは、同期的なデュアルコネクティビティについて良好に作動するであろう。デュアルコネクティビティの非同期的なモードのケースでは、ワイヤレス通信デバイス１２１は、ＰＲＡＣＨ構成９及び１１をそれぞれ使用し得る。ＴＤＤシステム及びＦＤＤシステムの双方に、又はＴＤＤ及びＦＤＤの混成のシステムにおいて、同様のアプローチが適用されてもよい。
【００７１】
【表１】
2017538375.tif 000003
【００７２】
プリアンブルフォーマット０〜４を伴うフレーム構造タイプ２については、ＵＬ／ＤＬ構成に依存して、ＵＬサブフレーム（又はプリアンブルフォーマット４についてはＵｐＰＴＳ）内に複数のランダムアクセスリソースが存在するかもしれない。
【００７３】
テーブル５．７．１−３は、フレーム構造タイプ２について許可されるＰＲＡＣＨ構成を列挙しており、構成インデックスは、あるプリアンブルフォーマット、ＰＲＡＨ密度値ＤＲＡ、バージョンインデックスｒＲＡの組み合わせに対応する。パラメータ「prach-ConfigurationIndex」は、より上位のレイヤにより与えられる。ＰＲＡＣＨ構成０、１、２、２０、２１、２２、３０、３１、３２、４０、４１、４２、４８、４９、５０を伴うフレーム構造タイプ２、又は、ＵＬ／ＤＬ構成３、４、５においてＰＲＡＣＨ構成５１、５３、５４、５５、５６、５７を伴うフレーム構造タイプ２について、ＵＥは、ハンドオーバ目的のために、現時点のセル及びターゲットセルにおける無線フレームｉの間の相対的な時間差の絶対値が１５３６００Ｔｓ未満であることを想定してもよい。
【００７４】
【表２】
2017538375.tif 000004
【００７５】
上述したワイヤレス通信デバイス１２１により実行される方法のさらなる観点によれば、その方法は、ＵＥの第１のサービングセルであって、プライマリネットワークノードによりサービスされ又は管理される当該第１のサービングセル内のＰＲＡＣＨ送信のための第１のＰＲＡＣＨ構成に関する情報を取得することと、第２のセル内のＰＲＡＣＨ送信のための第２のＰＲＡＣＨ構成に関する情報を取得することと、第１のＰＲＡＣＨ構成と第２のＰＲＡＣＨ構成とを比較することと、上記比較に少なくとも基づいて、上記第２のセルが上記ＵＥの第２のサービングセルとして構成されるか否かを判定することと、上記判定の結果をについて上記ネットワークノードへ通知することと、として記述されてもよい。これらステップは、ワイヤレス通信デバイス１２１において実行されてよく、ワイヤレス通信デバイス１２１は、ＭＣＧ内の少なくとも１つのサービングセルと共に構成され、及び、ＳＣＧ内の少なくとも１つのサービングセルと共に構成され又は構成中である。
【００７６】
次に、無線通信ネットワーク１００においてワイヤレス通信デバイス１２１の改善されたランダムアクセス送信を可能にするための、第１のネットワークノード１１０により実行される方法の実施形態の例について、図１０に描かれたフローチャートを参照しながら説明する。図１０は、第１のネットワークノード１１０により行われ得るアクション又は動作の一例を示している。通信デバイス１２１は、第１のネットワークノード１１０の第１のセル１１５、及び、少なくとも第２のネットワークノード１１１、１１２の少なくとも第２のセル１１６、１１７において、デュアルコネクティビティのために構成可能である。
【００７７】
［アクション１００１］
まず、第１のネットワークノード１１０は、少なくとも第２のセル１１６、１１７において使用される少なくとも第２のランダムアクセスチャネル構成を示す情報を取得する。
【００７８】
これは、例えば、アクション３０１ａにより示されているように、第１のネットワークノード１１０にとってアクセス可能な、又は第１のネットワークノード１１０内に記憶されている予め決定される情報から、上記情報を取り出すことにより実行されてもよい。代替的に、これは、アクション３０１ｂにより示されているように、例えば、デュアルコネクティビティ接続のためのリクエストへの応答として少なくとも第２のネットワークノード１１１、１１２から上記情報を受信することにより実行されてもよい。オプションとして、これは、アクション３０１ｃにより示されているように、ワイヤレス通信デバイス１２１から情報を受信することにより実行されてもよく、例えば、その情報は、第１のセル内のＰＲＡＣＨ構成を変更するための明示的なリクエスト、又は、第２のノード１１１、１１２のＰＲＡＣＨ構成に関連する暗黙的な情報を含み得る。
【００７９】
いくつかの実施形態において、上記情報は、ランダムアクセス送信のために少なくとも第２のセル１１６、１１７において使用されるサブフレーム及び／又はフレームタイミングを示す。
【００８０】
［アクション１００２］
本アクションにおいて、第１のネットワークノード１１０は、少なくとも第２のランダムアクセスチャネル構成が第１のセル１１５における第１のランダムアクセスチャネル構成に対して直交的であるか否かを判定する。ここで、第１のランダムアクセスチャネル構成及び少なくとも１つの第２のランダムアクセスチャネル構成は、第１のランダムアクセスチャネル構成に従ったワイヤレス通信デバイス１２１からのランダムアクセス送信が少なくとも第２のランダムアクセスチャネル構成に従ったワイヤレス通信デバイス１２１からのランダムアクセス送信と時間的に重複しない場合に、直交的であると見なされてよい。
【００８１】
［アクション１００３］
１００２での判定の後、第１のネットワークノード１１０は、１００２での判定の結果を用いて、ワイヤレス通信デバイス１２１によりデュアルコネクティビティのために使用し得るセルを判定し、及び／又は、第１のランダムアクセスチャネル構成又は少なくとも第２のランダムアクセスチャネル構成を適応させ得る。
【００８２】
アクション１００３ａ
いくつかの実施形態において、第１のネットワークノード１１０は、第１のセル１１５において使用されるべきワイヤレス通信デバイス１２１のための第１のランダムアクセスチャネル構成を、少なくとも第２のランダムアクセスチャネル構成に対して直交的となるように決定し得る。これは、例えば、少なくとも第２のセル１１６、１１７がデュアルコネクティビティで動作する際のワイヤレス通信デバイス１２１についてのプライマリセル（ＰＣｅｌｌ）であって、第１のセル１１５がデュアルコネクティビティで動作する際のワイヤレス通信デバイス１２１についてのセカンダリセル（ＰＳＣｅｌｌ）である場合に行われ得る。これら実施形態は、隣接ネットワークノードと比較して直交的なＰＲＡＣＨリソースを構成するための、又は直交的なＰＲＡＣＨリソースについて隣接ノードへ通知するための、第１のネットワークノード１１０により実行される方法として言及されてもよい。
【００８３】
いくつかの実施形態において、第１のネットワークノード１１０は、第１のＰＲＡＣＨを、第１のセル１１５及び第２のセル１１６、１１７のフレーム及び／又はサブフレームのタイミングの間の関係に関わらず、第２のＰＲＡＣＨと時間的に重複しないように構成し得る。いくつかの実施形態において、第１のネットワークノード１１０は、第２のノード１１１、１１２からの情報又はリクエストの受信後に、例えばＰＲＡＣＨインデックスなどのＰＲＡＣＨ構成を変更し又は再構成してもよい。変更され又は再構成された第１のＰＲＡＣＨ構成は、第２のセル１１６、１１５内のＰＲＡＣＨ構成に対し直交的である。
【００８４】
いくつかの実施形態において、ＤＣ動作をサポートする又はサポートし得るネットワークノード１１０、１１１、１１２の間のＰＲＡＣＨ構成の選択は、予め定義されるルールに基づいて実現されてもよい。
【００８５】
そうした予め定義されるルールの１つの例は、ＤＣで動作する少なくともＮ個のワイヤレス通信デバイスのためにＭｅＮＢとして使用され得る又はＭｅＮＢとして使用される第１のネットワークノード１１０が、自身にとって好ましいＰＲＡＣＨ構成を選択する優先権を常に有し、それをネットワークノード１１１、１１２などの他のネットワークノードへ通知することである。ＤＣで動作する少なくともＫ個のワイヤレス通信デバイスのためにＳｅＮＢとして使用され得る又はＳｅＮＢとして使用される他のネットワークノード１１１、１１２は、それに従い、別個のＰＲＡＣＨ構成、即ち第１のネットワークノード１１０において使用されるＰＲＡＣＨ構成を基準として別個のＰＲＡＣＨ構成を選択する
【００８６】
他の例は、第１のネットワークノード１１０が、少なくとも第２のセル１１６、１１７が第１のタイプの電力分類に属しかつ第１のセル１１５が第２のタイプの電力分類に属する場合に、第１のセル１１５において使用されるべきワイヤレス通信デバイス１２１についての第１のランダムアクセスチャネル構成を決定し得ることである。これは、ＢＳ電力クラスとしても知られるあるタイプの電力クラスのネットワークノードが自律的に自身にとって好ましいＰＲＡＣＨ構成を選択し得るのに対し、他のタイプの電力クラスのネットワークノードはそれに従って他のＰＲＡＣＨ構成を選択し得ることを意味する。電力クラスの異なるネットワークノードの例は、マクロ、マイクロ、ピコ及びホームネットワークノードである。マクロ、マイクロ、ピコ及びホームネットワークノードは、ワイドエリア、ミディアムレンジ、ローカルエリア、及びフェムトネットワークノードとも互換可能に呼ばれる。より具体的には、一例として、マクロネットワークノードは自身にとって好ましいＰＲＡＣＨ構成を選択し得る一方、ピコネットワークノードはそれに従って他のＰＲＡＣＨ構成、即ちマクロネットワークノードのそれとは直交的なＰＲＡＣＨ構成を選択し得る。
【００８７】
異なる複数のネットワークノードにおけるＰＲＡＣＨの直交性を確実化する目的で、ネットワークノード１１０、１１１、１１２は情報を交換してもよい。留意すべきこととして、ネットワークは、デュアルコネクティビティ（ＤＣ）動作をサポートしてもしなくてもよい。ネットワークノードＤＣ動作のサポートを停止すること又はサポートを開始することを決定してもよい。いくつかの実施形態において、第１のネットワークノード１１０は、１つ以上の隣接ネットワークノード１１１、１１２へ、例えばｅＮＢ１１１、１１２へＸ２インタフェースを介して、周期的に又はデュアルコネクティビティ動作が第１のネットワークノード１１０によりサポートされる都度、通知を行ってもよい。第１のネットワークノード１１０は、第１のネットワークノードのフレーム及び／若しくはサブフレームの開始タイミング、並びに／又は第１のＰＲＡＣＨ構成などの、追加的な情報を提供してもよい。そして、上述した情報を受信するネットワークノード、例えば少なくとも第２のネットワークノード１１１、１１２は、自身のＰＲＡＣＨ構成を、第１のネットワークノード１１０のＰＲＡＣＨ構成に対し直交的となるように適応させてもよい。いくつかの実施形態において、第１のネットワークノード１１０は、ＤＣ動作をサポートしており又はサポートすることが期待されている場合にのみ、自身のＰＲＡＣＨ構成を適応させてもよい。
【００８８】
アクション１００３ｂ
いくつかの実施形態において、第１のネットワークノード１１０は、少なくとも第２のランダムアクセスチャネル構成が第１のランダムアクセスチャネル構成に対し直交的である場合に、デュアルコネクティビティにおいて少なくとも第２のセル１１６、１１７をワイヤレス通信デバイス１２１により使用し得ると判定してもよい。これは、例えば、第１のセル１１５がデュアルコネクティビティで動作する際のワイヤレス通信デバイス１２１についてのプライマリセル（ＰＣｅｌｌ）であって、少なくとも第２のセル１１６、１１７がワイヤレス通信デバイス１２１についてのデュアルコネクティビティで動作する際のセカンダリＰＣｅｌｌ（ＰＳＣｅｌｌ）である場合に行われ得る。これら実施形態は、複数のネットワークノードにおけるＰＲＡＣＨ構成に基づいてワイヤレス通信デバイス１２１をサービングセルと共に構成するための、第１のネットワークノード１１０により実行される方法として言及されてもよい。
【００８９】
これは、いくつかの実施形態において、第１のサービングセル１１５及び少なくとも第２のサービングセル１１６、１１７が直交的なＰＲＡＣＨ構成を有するように、第１のネットワークノード１１０がＤＣ動作のためにワイヤレス通信デバイス１２１の第２のサービングセルを選択し得ることを意味する。
【００９０】
例えば、想定され得ることとして、ワイヤレス通信デバイス１２１は、少なくともＰＣｅｌｌと共に構成される。いくつかの実装において、ワイヤレス通信デバイス１２１は、ＳＣＧに属するＰＳＣｅｌｌをも構成され得る。ワイヤレス通信デバイス１２１についてＰＳＣｅｌｌを選択し又は選定した後、第１のネットワークノード１１０は、ワイヤレス通信デバイス１２１へ、選択されたＰＳＣｅｌｌをＤＣ動作のために構成し及びアクティブ化するように通知し得る。これは、デュアルコネクティビティ動作のためにワイヤレス通信デバイス１２１により少なくとも第２のセル１１６、１１７が使用されるべきであることを第１のネットワークノード１１０が決定し得ること、及び、ワイヤレス通信デバイス１２１がデュアルコネクティビティ動作のために少なくとも第２のセル１１６、１１７を構成し及びアクティブ化すべきであることを示す情報を第１のネットワークノード１１０がワイヤレス通信デバイス１２１へ送信し得ること、を意味する。
【００９１】
より具体的には、第１のネットワークノード１１０は、ワイヤレス通信デバイス１２１のＰＣｅｌｌのＰＲＡＣＨに対し新たな又は修正されたＰＳＣｅｌｌにおけるＰＲＡＣＨが直交的となるように、ＳＣＧに属するワイヤレス通信デバイス１２１の新たなＰＳＣｅｌｌを選択し又は既存のＰＳＣｅｌｌを変更してもよい。
【００９２】
上の目的を達成するために、第１のネットワークノード１１０は、アクション１００１において説明したように、１つ以上の隣接セル１１６、１１７におけるＰＲＡＣＨ構成に関する情報を取得し得る。第１のネットワークノード１１０は、ここで、それら隣接セルの１つ以上のフレーム及び／又はサブフレームの開始タイミングに関する情報をも取得してよい。上記情報のセットは、第１のネットワークノード１１０がセル１１５において使用される自身のＰＲＡＣＨ構成を基準として最も良く適したＰＳＣｅｌｌを判定することを可能にする。第１のネットワークノード１１０は、ワイヤレス通信デバイス１２１について１つよりも多くの潜在的なＰＳＣｅｌｌを決定した場合、１つ以上の追加的な基準を用いて、資格のあるＰＳＣｅｌｌのうち１つのＰＳＣｅｌｌを選択してもよい。
【００９３】
１つの例によれば、全ての候補ＰＳＣｅｌｌのうちワイヤレス通信デバイス１２１での信号品質の最も強いセルが、ワイヤレス通信デバイス１２１のためのＰＳＣｅｌｌとして第１のネットワークノード１１０により選択されてもよい。他の例によれば、候補ＰＳＣｅｌｌの全体のうち、負荷の最も小さいセル（例えば、最小の平均送信電力を有するセル、及び／又は最も少ないワイヤレス通信デバイスへサービスしているセル）が、ワイヤレス通信デバイス１２１についてのＰＳＣｅｌｌとして選択されてもよい。このようにして、第１のネットワークノード１１０は、デュアルコネクティビティ動作のためにワイヤレス通信デバイス１２１により１つよりも多くのセルを使用し得ると判定した場合に、ある基準に基づいて、デュアルコネクティビティ動作のためにプライマリセカンダリセル（ＰＳＣｅｌｌ）となるべき、少なくとも第２のセル１１６、１１７のうちの１つのセルを決定する、ようにさらに構成されてもよい。
【００９４】
［アクション１００４］
オプションとして、アクション１００３において第１のランダムアクセスチャネル構成が決定されたケースにおいて、第１のネットワークノード１１０は、無線通信ネットワーク１００内の少なくとも第２のネットワークノード１１１、１１２のうちの少なくとも１つへ、第１のランダムアクセスチャネル構成を送信してもよい。これは、デュアルコネクティビティ方式で何らかのワイヤレス通信デバイスへのサービスに潜在的に関与する他のネットワークノードへ、例えばＰＲＡＣＨインデックスなどの第１のＰＲＡＣＨ構成情報を第１のネットワークノード１１０が送信し得ることを意味する。そして、関与する第２のノードは、受信した情報を用いて、例えば第１のＰＲＡＣＨとは直交的な他のＰＲＡＣＨ構成インデックスを有するＰＲＡＣＨなど、直交的なＰＲＡＣＨリソースを構成し得る。
【００９５】
いくつかの実施形態において、判定された第１のランダムアクセスチャネル構成は、少なくとも第２のネットワークノード１１１、１１２のうちの少なくとも１つへ、少なくとも第２のランダムアクセスチャネル構成を第１のランダムアクセスチャネル構成に対して直交的となるように適応させるためのリクエストの一部として送信されてもよい。
【００９６】
さらに留意すべきこととして、いくつかの実施形態において、ワイヤレス通信デバイス１２１が別々のＣＧの２つのサービングセル上で（例えば、ＰＣｅｌｌ及びＰＳＣｅｌｌにおいて）直交的なＰＲＡＣＨ送信を実行する場合、ワイヤレス通信デバイス１２１がデュアルコネクティビティにおいてＰＳＣｅｌｌを構成できるものとされる範囲の遅延は、ＰＣｅｌｌのＲＡＣＨにより引き起こされるいかなる遅延も含まないものとする、ということが予め定義されてもよい。別々のＣＧでの（例えば、ＭＣＧ及びＳＣＧでの）直交的なＰＲＡＣＨ送信は、ここで説明した先行する実施形態のいずれに基づいて実現されてもよい。
【００９７】
言い換えれば、それは、通信デバイス１２１及び／又はネットワークノード１１０が、例えばアクション９０３において上述したような、少なくとも第２のランダムアクセスチャネル構成が第１のランダムアクセスチャネル構成に対して直交的であるか否かの判定の結果を用いて、少なくとも第２のセル１１６、１１７を構成するために通信デバイス１２１により要する時間を判定し得ることを意味する。
【００９８】
ＰＳＣｅｌｌを構成するための時間又は遅延は、ＰＳＣｅｌｌ構成遅延として言及されてよく、対応する手続は、ワイヤレス通信デバイス１２１がＰＳＣｅｌｌを構成するためのリクエストをネットワークノード１１０（例えば、ＰＣｅｌｌ）から受信することに応じてトリガされる。上で触れた予め定義されるルールが以下の例において説明される。これは、例えば、以下に説明するように少なくとも第２のセル１１６、１１７を構成するために通信デバイス１２１により要する時間Ｔ１及び時間Ｔ２が、予め定義されるルールに基づいて通信デバイス１２１及び／又はネットワークノード１１０により判定され得ることを意味する。
【００９９】
この例において、ＰＣｅｌｌ及びＰＳＣｅｌｌのＲＡＣＨ機会が直交的でない場合、既知のＰＳＣｅｌｌを構成するためにワイヤレス通信デバイス１２１により要する時間又は遅延は、次のような等式（式１）により（ｍｓで）表現される：
Ｔconfig_known_PSCell＝１５ｍｓ＋Ｔactivation_time＋５０ｍｓ＋ＴPCell_IU＋ＴPSCell_IU  （式１）
ここで、Ｔactivation_timeは、ＰＳＣｅｌｌアクティブ化遅延であって、例えば２０ｍｓであってよい。ＴPCell_IUは、ＰＣｅｌｌ  ＰＲＡＣＨプリアンブル送信に起因する中断の不確実性であって、例えばＰＳＣｅｌｌのアクティブ化がＰＣｅｌｌ  ＰＲＡＣＨプリアンブル送信により中断されるケースでは２０ｍｓまで、そうでなければゼロであってよい。ＴPSCell_IUは、ＰＳＣｅｌｌにおける最初の利用可能なＰＲＡＣＨ機会を獲得する際の中断の不確実性であって、例えば３０ｍｓまでであってよい。また、ＴPSCellの実際の値は、ＰＳＣｅｌｌにおいて使用されるＰＲＡＣＨ構成に依存する。
留意すべきこととして、Ｔconfig_known_PSCellは、ここでＴ２として言及されてもよく、又は、既知のＰＳＣｅｌｌが構成されるケース、即ち、通信デバイス１２１において構成される前に通信デバイス１２１にとって既知であるケースについてのＴconfig_PSCellとして言及されてもよい。
【０１００】
ＰＣｅｌｌ及びＰＳＣｅｌｌのＲＡＣＨ機会が直交的でない場合、未知のＰＳＣｅｌｌを構成するためにワイヤレス通信デバイス１２１により要する時間又は遅延は、次のような等式（式２）により（ｍｓで）表現される：
Ｔconfig_unknown_PSCell＝１５ｍｓ＋Ｔactivation_time＋５０ｍｓ＋ＴPCell_IU＋ＴPSCell_IU  （式２）
留意すべきこととして、Ｔconfig_known_PSCellは、ここでＴ２として言及されてもよく、又は、未知のＰＳＣｅｌｌが構成されるケース、即ち、通信デバイス１２１において構成される前に通信デバイス１２１にとって既知ではないケースについてのＴconfig_PSCellとして言及されてもよい。
【０１０１】
ＰＳＣｅｌｌについて以下の条件が満たされる場合、ＰＳＣｅｌｌは既知であるものと見なされる（そうでない場合、未知であるものと見なされる）：
−例えばｘ＝５ｓ、又は、ｘ＝ｍａｘ（5  measCycleSCell,  5  DRX  cycles）として、ＰＳＣｅｌｌ構成コマンドの受信前の最後のｘ秒の期間中に、
−ワイヤレス通信デバイス１２１が構成されようとしているＰＳＣｅｌｌについて有効な測定レポートを送信した
−構成されようとしているＰＳＣｅｌｌがセル識別条件に従って検出可能なままである、及び、
−構成されようとしているＰＳＣｅｌｌがセル識別条件に従ってＰＳＣｅｌｌ構成遅延の期間中にも検出可能なままである。
【０１０２】
予め定義されるルールに従って、ＰＳＣｅｌｌ構成時間における次のような適応がなされ、即ちＰＣｅｌｌ  ＲＡＣＨ遅延が除外される。言い換えれば、これはＴPCell_IU＝０を意味する。
【０１０３】
ＰＣｅｌｌ及びＰＳＣｅｌｌのＲＡＣＨ機会が直交的である場合、既知のＰＳＣｅｌｌを構成するためにワイヤレス通信デバイス１２１により要する時間又は遅延は、次のような等式（式３）により表現される：
Ｔconfig_known_PSCell＝１５ｍｓ＋Ｔactivation_time＋５０ｍｓ＋ＴPSCell_IU  （式３）
留意すべきこととして、Ｔconfig_known_PSCellは、ここでＴ１として言及されてもよく、又は、既知のＰＳＣｅｌｌが構成されるケース、即ち、通信デバイス１２１において構成される前に通信デバイス１２１にとって既知であるケースについてのＴconfig_PSCellとして言及されてもよい。
【０１０４】
ＰＣｅｌｌ及びＰＳＣｅｌｌのＲＡＣＨ機会が直交的である場合、未知のＰＳＣｅｌｌを構成するためにワイヤレス通信デバイス１２１により要する時間又は遅延は、次のような等式（式４）により（ｍｓで）表現される：
Ｔconfig_unknown_PSCell＝１５ｍｓ＋Ｔactivation_time＋５０ｍｓ＋ＴPSCell_IU  （式４）
留意すべきこととして、Ｔconfig_known_PSCellは、ここでＴ１として言及されてもよく、又は、未知のＰＳＣｅｌｌが構成されるケース、即ち、通信デバイス１２１において構成される前に通信デバイス１２１にとって既知ではないケースについてのＴconfig_PSCellとして言及されてもよい。
【０１０５】
よって、上記判定の結果が第２のランダムアクセスチャネル構成が第１のランダムアクセスチャネル構成に対して直交的であるという結果である場合の、通信デバイス１２１により少なくとも第２のセル１１６、１１７を構成するために要する時間Ｔ１は、ある実施形態において、上記判定の結果が第２のランダムアクセスチャネル構成が第１のランダムアクセスチャネル構成に対して直交的ではないという結果である場合の、通信デバイス１２１により少なくとも第２のセル１１６、１１７を構成するために要する時間Ｔ２よりも短い、ということになる。
【０１０６】
そのうえ、言い換えれば、通信デバイス１２１により少なくとも第２のセル１１６、１１７を構成するために要する時間Ｔ１は、第１のセル１１５上でランダムアクセスを実行するための時間を含まない。また、通信デバイス１２１により少なくとも第２のセル１１６、１１７を構成するために要する時間Ｔ２は、第１のセル１１５上でランダムアクセスを実行するための時間を含む。
【０１０７】
上述した第１のネットワークノード１１０により実行される方法の他の観点によれば、その方法は、少なくとも第２のセル（例えば、隣接セル）においてＰＲＡＣＨ送信のために使用される少なくとも第２のＰＲＡＣＨ構成に関する情報を取得することと、上記少なくとも第２のＰＲＡＣＨ構成に対して直交的な第１のＰＲＡＣＨ構成をプライマリネットワークノードにおいて構成することと、ここで直交的なＰＲＡＣＨ構成とは第１のＰＲＡＣＨ機会及び第２のＰＲＡＣＨ機会が異なる時間（例えば、サブフレーム又はフレーム）において生じることと、（オプションとして）第１のＰＲＡＣＨ構成を他のノードへ送信することと、として記述されてもよい。これらステップは、ＭＣＧ内の少なくとも１つのサービングセルと共に構成されており且つＳＣＧ内の少なくとも１つのサービングセルと共に構成されている又は構成中のワイヤレス通信デバイス１２１について、例えばＭｅＮＢなどの第１のネットワークノード１１０において実行されてもよい。
【０１０８】
上述した第１のネットワークノード１１０により実行される方法の他のさらなる観点によれば、その方法は、ワイヤレス通信デバイス１２１の第１のサービングセルであって、プライマリネットワークノードによりサービスされ又は管理される当該第１のサービングセルにおけるＰＲＡＣＨ送信のための第１のＰＲＡＣＨ構成に関する情報を取得することと、第２のセルにおけるＰＲＡＣＨ送信のための第２のＰＲＡＣＨ構成に関する情報を取得することと、第１のＰＲＡＣＨ構成と第２のＰＲＡＣＨ構成との間の関係に少なくとも基づいて、ワイヤレス通信デバイス１２１の第２のサービングセルとしての上記第２のセルと共に、ワイヤレス通信デバイス１２１を構成することと、として記述されてもよい。これらステップは、ＭＣＧ内の少なくとも１つのサービングセルと共に構成されており且つＳＣＧ内の少なくとも１つのサービングセルと共に構成されている又は構成中のワイヤレス通信デバイス１２１について、例えばプライマリネットワークノード、ＭｅＮＢなどの第１のネットワークノード１１０において実行されてもよい。
【０１０９】
無線通信ネットワーク１００における改善されたランダムアクセス送信を可能にするためのワイヤレス通信デバイス１２１における方法のアクションを実行するために、図９との関連で上述したように、ワイヤレス通信デバイス１２１は、図１１に描かれている以下の配置を含み得る。通信デバイスは、第１のネットワークノード１１０の第１のセル１１５、及び少なくとも第２のネットワークノード１１１、１１２の少なくとも第２のセル１１６、１１７においてデュアルコネクティビティのために構成可能である。
【０１１０】
ワイヤレス通信デバイス１２１は、例えば受信モジュール１１０１が構成されることによって、第１のセル１１５において使用される第１のランダムアクセスチャネル構成を示す情報を取得し、及び少なくとも第２のセル１１６、１１７において使用される少なくとも第２のランダムアクセスチャネル構成を示す情報を取得する、ように構成される。受信モジュール１１０１は、受信機、ＲＸ又は受信ユニットとして言及されてもよい。受信モジュール１１０１は、ワイヤレス通信デバイス１２１のプロセッサ１１１０又は処理モジュールの一部であってもよい。
【０１１１】
また、ワイヤレス通信デバイス１２１は、例えば判定モジュール１１０３が構成されることによって、少なくとも第２のランダムアクセスチャネル構成が第１のランダムアクセスチャネル構成に対して直交的であるか否かを判定する、ように構成される。判定モジュール１１０３もまた、ワイヤレス通信デバイス１２１内のプロセッサ１１１０又は処理モジュールの一部であってもよい。
【０１１２】
さらに、ワイヤレス通信デバイス１２１は、例えば使用モジュール１１０４が構成されることによって、上記判定の結果を用いて、デュアルコネクティビティのために使用されるセルの判定、及び／又は、第１の若しくは少なくとも第２のランダムアクセスチャネル構成の適応を行わせる、ように構成される。使用モジュール１１０４もまた、ワイヤレス通信デバイス１２１内のプロセッサ１１１０又は処理モジュールの一部であってもよい。
【０１１３】
いくつかの実施形態において、ワイヤレス通信デバイス１２１は、さらに、例えば送信モジュール１１０２が構成されることによって、少なくとも第２のセル１１６、１１７のうちのいずれをデュアルコネクティビティのために使用し得るかを示す情報を送信し、第１の若しくは少なくとも第２のランダムアクセスチャネル構成を適応させるべきであることを示す情報を送信し、又は、第１の若しくは少なくとも第２のランダムアクセスチャネル構成の代わりに第３の及び第４のランダムアクセスチャネル構成を用いてランダムアクセス送信信号を送信する、ように構成されてもよく、ここで第３の及び第４のランダムアクセスチャネル構成は、それぞれ第１の及び少なくとも第２のランダムアクセスチャネル構成のサブセットであり、互いに直交的である。送信モジュール１１０２は、送信機、ＴＸ又は送信ユニットとして言及されてもよい。送信モジュール１１０２は、ワイヤレス通信デバイス１２１内の使用モジュール１１０４、並びに／又は、プロセッサ１１１０若しくは処理モジュールの一部であってもよい。
【０１１４】
無線通信ネットワーク１００におけるワイヤレス通信デバイス１２１の改善されたランダムアクセス送信を可能にするための第１のネットワークノード１１０における方法のアクションを実行するために、図１０との関連で上述したように、第１のネットワークノード１１０は、図１２に描かれている以下の配置を含み得る。通信デバイスは、第１のネットワークノード１１０の第１のセル１１５、及び少なくとも第２のネットワークノード１１１、１１２の少なくとも第２のセル１１６、１１７においてデュアルコネクティビティのために構成可能である。
【０１１５】
第１のネットワークノード１１０は、例えば受信モジュール１２０１又は取得モジュール１２０３が構成されることによって、少なくとも第２のセル１１６、１１７において使用される少なくとも第２のランダムアクセスチャネル構成を示す情報を取得する、ように構成される。受信モジュール１２０１は、受信機、ＲＸ又は受信ユニットとして言及されてもよい。受信モジュール１２０１は、第１のネットワークノード１１０内のプロセッサ１２１０又は処理モジュールの一部であってもよい。
【０１１６】
また、第１のネットワークノード１１０は、例えば判定モジュール１２０４が構成されることによって、少なくとも第２のランダムアクセスチャネル構成が第１のセル１１５内の第１のランダムアクセスチャネル構成に対して直交的であるか否かを判定する、ように構成される。判定モジュール１２０３は、第１のネットワークノード１１０内のプロセッサ１２１０又は処理モジュールの一部であってもよい。
【０１１７】
さらに、第１のネットワークノード１１０は、例えば使用モジュール１２０５が構成されることによって、上記判定の結果を用いて、ワイヤレス通信デバイス１２１によりデュアルコネクティビティのために使用し得るセルを判定し、及び／又は、第１の若しくは少なくとも第２のランダムアクセスチャネル構成を適応させる、ように構成される。使用モジュール１２０４は、第１のネットワークノード１１０のプロセッサ１２１０又は処理モジュールの一部であってもよい。
【０１１８】
いくつかの実施形態において、第１のネットワークノード１１０は、さらに、例えば送信モジュール１２０２が構成されることによって、無線通信ネットワーク１００内の少なくとも第２のネットワークノード１１１、１１２のうちの少なくとも１つへ、第１のランダムアクセスチャネル構成を送信する、ように構成されてもよい。送信モジュール１２０２は、送信機、ＴＸ又は送信ユニットとして言及されてもよい。送信モジュール１２０２は、第１のネットワークノード１１０内のプロセッサ１２１０又は処理モジュールの一部であってもよい。
【０１１９】
無線通信ネットワーク１００において改善されたランダムアクセス送信を可能にするための実施形態は、図１１に描かれているワイヤレス通信デバイス１２１内のプロセッサ１１１０、及び図１２に描かれているネットワークノード１１０内のプロセッサ１２１０などの１つ以上のプロセッサを通じて、実施形態の機能及びアクションを実行するためのコンピュータプログラムコードと共に実装されてもよい。上で触れたプログラムコードは、例えば、コンピュータプログラムコードを担持するデータキャリアの形式、又は、ワイヤレス通信デバイス１２１内のプロセッサ１１１０及びネットワークノード１１０内のプロセッサ１２１０へそれぞれロードされた場合にここでの実施形態を実行するためのコード手段の形式の、コンピュータプログラムプロダクトとして提供されてもよい。コンピュータプログラムコードは、例えば、ワイヤレス通信デバイス１２１及びネットワークノード１１０内の純粋なプログラムコードとして提供されてもよく、又は、サーバ上にあってワイヤレス通信デバイス１２１及びネットワークノード１１０へそれぞれダウンロードされる純粋なプログラムコードとして提供されてもよい。キャリアは、電子信号、光信号、無線信号、又は、例えばＲＡＭのような電子メモリ、ＲＯＭ、フラッシュメモリ、磁気テープ、ＣＤ−ＲＯＭ、ＤＶＤ若しくはブルーレイディスクなどのコンピュータ読取可能な記憶媒体、のうちの１つであってよい。
【０１２０】
ワイヤレス通信デバイス１２１及びネットワークノード１１０は、さらに、それぞれメモリ１１２０、１２２０を含んでもよい。メモリ１１２０、１２２０は、１つ以上のメモリモジュール若しくはユニットとして言及されてもよく、又は１つ以上のメモリモジュール若しくはユニットを含んでもよい。メモリ１１２０、１２２０は、ワイヤレス通信デバイス１２１及びネットワークノード１１０においてそれぞれ実行された場合にここで説明した方法を遂行するための、実行可能な命令群及びデータを記憶するために使用されるように構成されてもよい。当業者は、上述したプロセッサ１１１０、１２１０及びそれぞれのメモリ１１２０、１２２０が、例えばメモリ１１２０、１２２０内に記憶され、プロセッサ１１１０、１２１０などの１つ以上のプロセッサにより実行された場合に上述したような方法を遂行するソフトウェア及び／若しくはファームウェアと共に構成される、アナログ回路及びデジタル回路の組み合わせ、並びに／又は、１つ以上のプロセッサへの言及であってもよいことをも理解するであろう。プロセッサ１１１０、１２１０及びそれぞれのメモリ１１２０、１２２０の１つ以上、並びに他のデジタルハードウェアが、単一のＡＳＩＣ（application-specific  integrated  circuit）又は複数のプロセッサに含まれてもよく、多様なデジタルハードウェアが個別にパッケージ化されるか又はＳｏＣ（system-on-a-chip）へと集積されるかに関わらず、複数の別個のコンポーネントの間で分散されてもよい。
【０１２１】
上述の点から理解され得ることとして、これら実施形態は、さらに、例えばプロセッサ１１１０、１２１０などの少なくとも１つのプロセッサ上で実行された場合に、少なくとも１つのプロセッサに、無線通信ネットワーク１００において改善されたランダムアクセス送信を可能にするための方法を遂行させる命令群、を含むコンピュータプログラムプロダクトを含んでもよい。また、いくつかの実施形態は、上述したように、上記コンピュータプログラムを収容する担体をさらに含んでもよく、当該担体は、電子信号、光信号、無線信号又はコンピュータ読取可能な記憶媒体のうちの１つである。
【０１２２】
添付図面において例示された個別の実施形態の詳細な説明において使用されている専門用語は、そこで説明されたネットワークノード、通信デバイス又は方法で限定されるようには意図されていない。
【０１２３】
以下の共通的な専門用語が実施形態において使用されており、それらがここで詳説される。
【０１２４】
［ネットワークノード］
いくつかの実施形態において、より一般的な用語“ネットワークノード”が使用されており、それは、ＵＥとの間で及び／又は他のネットワークノードとの間で通信する、任意の種類の無線ネットワークノード又は任意のネットワークノードに相当し得る。ネットワークノードの例は、ノードＢ、基地局（ＢＳ）、ＭＳＲ  ＢＳなどのマルチ標準無線（ＭＳＲ）無線ノード、ｅＮｏｄｅＢ、ネットワークコントローラ、無線ネットワークコントローラ（ＲＮＣ）、基地局コントローラ（ＢＳＣ）、中継機、中継機を制御するドナーノード、基地送受信局（ＢＴＳ）、アクセスポイント（ＡＰ）、送信ポイント、送信ノード、ＲＲＵ、ＲＲＨ、分散アンテナシステム（ＤＡＳ）内のノード、コアネットワークノード（例えば、ＭＳＣ、ＭＭＥなど）、Ｏ＆Ｍ、ＯＳＳ、ＳＯＮ、測位ノード（例えば、Ｅ−ＳＭＬＣ）、ＭＤＴなどである。ネットワークノードのさらなる例は、ノードＢ、ＭｅＮＢ、ＳｅＮＢ、ＭＣＧ若しくはＳＣＧへ属するネットワークノード、基地局（ＢＳ）、ＭＳＲ  ＢＳなどのマルチ標準無線（ＭＳＲ）無線ノード、ｅＮｏｄｅＢ、ネットワークコントローラ、無線ネットワークコントローラ（ＲＮＣ）、基地局コントローラ（ＢＳＣ）、中継機、中継機を制御するドナーノード、基地送受信局（ＢＴＳ）、基地送受信局（ＢＴＳ）、アクセスポイント（ＡＰ）、送信ポイント、送信ノード、ＲＲＵ、ＲＲＨ、分散アンテナシステム（ＤＡＳ）内のノード、コアネットワークノード（例えば、ＭＳＣ、ＭＭＥなど）、Ｏ＆Ｍ、ＯＳＳ、ＳＯＮ、測位ノード（例えば、Ｅ−ＳＭＬＣ）、ＭＤＴなどである。
【０１２５】
［ユーザ機器］
いくつかの実施形態において、非限定的な用語であるユーザ機器（ＵＥ）が使用されており、それは、セルラー若しくはモバイル通信システムにおいてネットワークノードとの間で及び／又は他のＵＥとの間で通信する任意の種類のワイヤレスデバイスをいう。ＵＥの例は、ターゲットデバイス、Ｄ２Ｄ（device  to  device）ＵＥ、マシンタイプＵＥ若しくはＭ２Ｍ（machine  to  machine）通信可能なＵＥ、ＰＤＡ、ｉＰＡＤ、タブレット、モバイル端末、スマートフォン、ＬＥＥ（laptop  embedded  equipped）、ＬＭＥ（laptop  mounted  equipment）、ＵＳＢドングルなどである。ＵＥのさらなる例は、ターゲットデバイス、Ｄ２Ｄ（device  to  device）ＵＥ、マシンタイプＵＥ若しくはＭ２Ｍ（machine  to  machine）通信可能なＵＥ、ＰＤＡ、ＰＡＤ、タブレット、モバイル端末、スマートフォン、ＬＥＥ（laptop  embedded  equipped）、ＬＭＥ（laptop  mounted  equipment）、ＵＳＢドングルなどである。
【０１２６】
［ＰＲＡＣＨ］
ランダムアクセス送信についての実施形態を通じて、この用語が使用されている。但し、ＰＲＡＣＨ送信は、ランダムアクセスチャネル上でＵＥにより送信されるいかなる種類の信号からなってもよい。ランダムアクセス信号の例は、プリアンブル、ランダムアクセスプリアンブル、予め定義される信号のシーケンスなどである。
【０１２７】
実施形態は、シングルキャリアに適用可能であると共に、マルチキャリア、又は、ＵＥが１つよりも多くのサービングセルへデータを送受信することの可能なＵＥのキャリアアグリゲーション（ＣＡ）動作にも適用可能である。キャリアアグリゲーション（ＣＡ）との用語は、“マルチキャリアシステム”、“マルチセル動作”、“マルチキャリア動作”、“マルチキャリア”送信及び／又は受信とも呼ばれる（例えば、互換可能に呼ばれる）。ＣＡでは、コンポーネントキャリア（ＣＣ）のうちの１つは、プライマリコンポーネントキャリア（ＰＣＣ）若しくは単にプライマリキャリアであり、又はアンカーキャリアでさえあってよい。残りのＣＣは、セカンダリコンポーネントキャリア（ＳＣＣ）若しくは単にセカンダリキャリアであり、補助キャリアでさえあってよい。サービングセルは、互換可能にプライマリセル（ＰＣｅｌｌ）又はプライマリサービングセル（ＰＳＣ）と呼ばれる。同様に、セカンダリサービングセルは、互換可能にセカンダリセル（ＳＣｅｌｌ）又はセカンダリサービングセル（ＳＳＣ）と呼ばれる。
【０１２８】
実施形態は、ＬＴＥについて説明されている。但し、それら実施形態は、ＵＥが信号（例えば、データ）を送受信する、例えばＬＴＥ  ＦＤＤ／ＴＤＤ、ＷＣＤＭＡ／ＨＳＰＡ、ＧＳＭ／ＧＥＲＡＮ、ＷｉＦｉ、ＷＬＡＮ、ＣＤＭＡ２０００などの、いかなるＲＡＴにも適用可能であり又はマルチＲＡＴシステムにも適用可能である。本概念をＦＤＤ−ＦＤＤインター帯域、ＴＤＤ−ＴＤＤインター帯域若しくはＴＤＤイントラ帯域へ拡張すること、又はＦＤＤ及びＴＤＤのインター帯域キャリアの組み合わせへ拡張することは容易である。本説明は、１つよりも多くのＳｅＮＢにも等しく適用可能である。このＩｖＤでは、ＳｅＮＢにおけるＰＣｅｌｌ型の構造を有するセルを意味する形で、セカンダリＰＣｅｌｌとしてＰＳＣｅｌｌに言及している。ある文献では、これは、ＰＵＣＣＨ  ＳＣｅｌｌとも言及されており、なぜならこれはＰＵＣＣＨを搬送するＳＣｅｌｌだからである。ある文献では、これはプライマリＳＣｅｌｌとしても知られており、なぜならＳｅＮＢ内のＰＣｅｌｌ型の振る舞い及び構造を有する主たるＳＣｅｌｌだからである。
【０１２９】
さらに、ここでの実施形態の１つの目的は、無線通信ネットワークにおけるランダムアクセス送信を改善することである。多様な例示的な実施形態が以下の記載において整理される。
【０１３０】
第１の記載によれば、上記目的は、無線通信ネットワークにおいて改善されたランダムアクセス送信を可能にするための、通信デバイスにより実行される方法により達成され得る。上記通信デバイスは、第１のネットワークノードの第１のセル、及び、少なくとも第２のネットワークノードの少なくとも第２のセルにおいて、デュアルコネクティビティのために構成可能である。上記通信デバイスは、上記第１のセルにおいて使用される第１のランダムアクセスチャネル構成を示す情報を取得する。また、上記通信デバイスは、上記少なくとも第２のセルにおいて使用される少なくとも第２のランダムアクセスチャネル構成を示す情報を取得する。次いで、上記通信デバイスは、上記少なくとも第２のランダムアクセスチャネル構成が上記第１のランダムアクセスチャネル構成に対して直交的であるか否かを判定する。さらに、上記通信デバイスは、上記判定の結果を用いて、デュアルコネクティビティのために使用されるセルの判定を行わせ、及び／又は、上記第１の若しくは少なくとも第２のランダムアクセスチャネル構成の適応を行わせる。
【０１３１】
留意すべきこととして、上記第１のランダムアクセスチャネル構成及び上記少なくとも第２のランダムアクセスチャネル構成は、上記第１のランダムアクセスチャネル構成に従ったランダムアクセス送信が少なくとも第２のランダムアクセスチャネル構成に従ったランダムアクセス送信と時間的に重複しない場合に直交的であるものとして判定されてよく、即ち、上記第１の及び上記第２のランダムアクセスチャネル構成は、それぞれのランダムアクセス機会が異なる時間リソースにおいて生じる場合に、互いを基準として直交的である。
【０１３２】
いくつかの実施形態において、上記通信デバイスは、上記判定に基づいて、上記第１のネットワークノード及び／又は上記少なくとも第２のネットワークノードへ、上記第１のセル及び上記少なくとも第２のセルのうちのいずれをデュアルコネクティビティのために使用し得るかを示す情報を送信してもよい。このケースにおいて、上記第１のセル及び少なくとも第２のセルのうちデュアルコネクティビティのために使用され得るセルは、上記通信デバイスにおけるセルの信号品質（例えば、上記通信デバイスにより測定される最大のＲＳＲＱ）に基づいて、及び／又は、それぞれのセルにおいて次のランダムアクセス送信がいつ生じるかに基づいて、上記通信デバイスにより判定されてもよい。さらに、このケースにおいて、上記情報は、上記第１のセル及び少なくとも第２のセルのうちのいずれのセルをデュアルコネクティビティで動作する際に上記通信デバイスのためのプライマリセル（ＰＣｅｌｌ）として使用し得るか、及び、上記第１のセル及び少なくとも第２のセルのうちのいずれのセルをデュアルコネクティビティで動作する際に上記通信デバイスのためのセカンダリセル（ＳＣｅｌｌ）として使用し得るか、をさらに示してもよい。
【０１３３】
いくつかの実施形態において、上記通信デバイスは、上記第１のネットワークノード及び／又は上記少なくとも第２のネットワークノードへ、上記第１の又は少なくとも第２のランダムアクセスチャネル構成が適応させられるべきであることを示す情報を送信してもよい。このケースにおいて、上記送信は、上記第１の又は少なくとも第２のランダムアクセスチャネル構成を用いた上記通信デバイスによるランダムアクセス送信の予期される若しくは発生した障害又は遅延に基づいて実行されてよい。そのうえ、上記情報は、上記第１の又は少なくとも第２のランダムアクセスチャネル構成を用いた上記通信デバイスによるランダムアクセス送信の予期される若しくは発生した障害又は遅延に基づく統計情報をさらに示してもよい。オプションとして、上記情報は、上記第１の及び少なくとも第２のランダムアクセスチャネル構成が互いを基準として直交的となるように上記第１の又は少なくとも第２のランダムアクセスチャネル構成を変更するための、上記第１のネットワークノード及び／又は上記少なくとも第２のネットワークノードへの明示的なリクエストを含んでもよい。
【０１３４】
いくつかの実施形態において、上記通信デバイスは、第１の又は少なくとも第２のランダムアクセスチャネル構成の代わりに第３の及び少なくとも第４のランダムアクセスチャネル構成を用いて、ランダムアクセス送信信号を送信してもよく、第３の及び少なくとも第４のランダムアクセスチャネル構成は、それぞれ第１の及び少なくとも第２のランダムアクセスチャネル構成のサブセットであって、互いに直交的である。
【０１３５】
いくつかの実施形態において、上記通信デバイスは、上記第１の及び／又は少なくとも第２のランダムアクセスチャネル構成を用いた同時のランダムアクセス送信のために利用可能な送信電力が決定される閾値を下回るか否かを判定してもよい。上記利用可能な送信電力が上記決定される閾値を下回るケースでは、上記第３の及び少なくとも第４のランダムアクセスチャネル構成を用いた直交的なランダムアクセス送信が実行される。
【０１３６】
いくつかの実施形態において、上記通信デバイスは、上記第３の及び／又は少なくとも第４のランダムアクセスチャネル構成を、上記第１のネットワークノード及び／又は上記少なくとも第２のネットワークノードへ送信してもよい。
【０１３７】
第２の記載によれば、上記目的は、無線通信ネットワークにおいて通信デバイスの改善されたランダムアクセス送信を可能にするための、第１のネットワークノードにより実行される方法により達成され得る。上記通信デバイスは、上記第１のネットワークノードの第１のセル、及び、少なくとも第２のネットワークノードの少なくとも第２のセルにおいて、デュアルコネクティビティのために構成可能である。上記第１のネットワークノードは、上記少なくとも第２のセルにおいて使用される少なくとも第２のランダムアクセスチャネル構成を示す情報を取得する。次いで、上記第１のネットワークノードは、上記少なくとも第２のランダムアクセスチャネル構成が上記第１のセルにおける第１のランダムアクセスチャネル構成に対して直交的であるか否かを判定する。そのうえ、上記第１のネットワークノードは、上記判定の結果を用いて、デュアルコネクティビティのために上記通信デバイスにより使用され得るセルを判定し、及び／又は、上記第１の若しくは少なくとも第２のランダムアクセスチャネル構成を適応させる。
【０１３８】
留意すべきこととして、上記第１のランダムアクセスチャネル構成及び上記少なくとも第２のランダムアクセスチャネル構成は、上記第１のランダムアクセスチャネル構成に従った上記通信デバイスからのランダムアクセス送信が少なくとも第２のランダムアクセスチャネル構成に従った上記通信デバイスからのランダムアクセス送信と時間的に重複しない場合に直交的であるものとして判定されてよく、即ち、上記第１の及び上記第２のランダムアクセスチャネル構成は、それぞれのランダムアクセス機会が異なる時間リソースにおいて生じる場合に、互いを基準として直交的である。
【０１３９】
いくつかの実施形態において、上記情報は、ランダムアクセス送信のために上記少なくとも第２のセルにおいて使用されるサブフレーム及び／又はフレームのタイミングを示してもよい。いくつかの実施形態において、上記第１のネットワークノードは、上記第１のネットワークノードにとってアクセス可能な又は上記第１のネットワークノード内に記憶されている予め決定される情報から、その情報を取得すること、上記少なくとも第２のネットワークノードからその情報を受信すること、及び、上記通信デバイスからその情報を受信すること、のうちの１つ以上により、上記情報を取得してもよい。
【０１４０】
いくつかの実施形態において、上記第１のネットワークノードは、上記少なくとも第２のランダムアクセスチャネル構成に対して直交的となるように、上記第１のセルにおいて使用されるべき上記通信デバイスのための上記第１のランダムアクセスチャネル構成を決定してもよい。これは、例えば、上記少なくとも第２のセルがデュアルコネクティビティで動作する際の上記通信デバイスについてのプライマリセル（ＰＣｅｌｌ）であって、上記第１のセルがデュアルコネクティビティで動作する際の上記通信デバイスについてのセカンダリセル（ＰＳＣｅｌｌ）である場合に行われてもよい。オプションとして、これは、上記少なくとも第２のセルが第１のタイプの電力分類に属し且つ上記第１のセルが第２のタイプの電力分類に属する場合に行われてもよい。
【０１４１】
いくつかの実施形態において、上記第１のネットワークノードは、上記少なくとも第２のランダムアクセスチャネル構成が上記第１のランダムアクセスチャネル構成に対して直交的である場合に、上記少なくとも第２のセルをデュアルコネクティビティにおいて上記通信デバイスにより使用し得ると判定してもよい。これは、例えば、上記第１のセルがデュアルコネクティビティで動作する際の上記通信デバイスについてのプライマリセル（ＰＣｅｌｌ）であって、上記少なくとも第２のセルがデュアルコネクティビティで動作する際の上記通信デバイスについてのセカンダリセル（ＰＳＣｅｌｌ）である場合に行われてもよい。ここでは、上記第１のネットワークノードは、さらに、上記少なくとも第２のセルをデュアルコネクティビティ動作のために上記通信デバイスにより使用すべきであると判定し、上記通信デバイスへ、当該通信デバイスがデュアルコネクティビティ動作のために上記少なくとも第２のセルを構成し及びアクティブ化すべきであることを示す情報を送信してもよい。
【０１４２】
そのうえ、いくつかの実施形態において、上記第１のネットワークノードは、デュアルコネクティビティ動作のために上記通信デバイスにより１つよりも多くのセルを使用し得ると判定した場合に、ある基準に基づいて、上記少なくとも第２のセルのうちの１つがデュアルコネクティビティ動作のためにプライマリセカンダリセルとなるべきであるとさらに判定してもよい。その基準は、例えば、上記少なくとも第２のセルのうち最も高い／強い信号品質を有するセルを選択すること、又は、最も小さい負荷（例えば、最も低い平均送信電力及び／若しくは最も少ないサービス中の通信デバイス数）を有するセルを選択すること、を含んでもよい。
【０１４３】
いくつかの実施形態において、上記第１のネットワークノードは、上記無線通信ネットワーク内の上記少なくとも第２のネットワークノードの少なくとも１つへ、上記第１のランダムアクセスチャネル構成を送信してもよい。このケースにおいて、上記第１のランダムアクセスチャネル構成は、上記第１のランダムアクセスチャネル構成に対して直交的となるように上記少なくとも第２のランダムアクセスチャネル構成を適応させるためのリクエストの一部として、上記少なくとも第２のネットワークノードのうちの少なくとも１つへ送信されてもよい。
【０１４４】
第３及び第４の記載によれば、上記目的は、上述した方法をそれぞれ実行するためのワイヤレス通信デバイス及び第１のネットワークノードにより達成され得る。
【０１４５】
上の記載において記述したように第１のネットワークノード又は通信デバイスを構成することにより、通信デバイスのプライマリセル（ＰＣｅｌｌ）及びセカンダリセル（ＰＳＣｅｌｌ）におけるランダムアクセス構成が互いを基準として直交的であること、即ちそれらのランダムアクセス機会が時間的に重複しないことが保証され得る。代替的に、通信デバイスが、互いを基準として直交的なランダムアクセス構成を有するＰＣｅｌｌ及びＰＳＣｅｌｌを選択してそれらと共に構成されることが保証され得る。他の代替策によれば、通信デバイスは、互いを基準として直交的なランダムアクセス構成を有する潜在的なＰＣｅｌｌ及びＰＳＣｅｌｌとして、一組のセルを推奨してもよい。よって、無線通信ネットワークにおけるランダムアクセス送信が改善される。
【０１４６】
上の記載において記述したようにネットワークノード又は通信デバイスを構成する１つの利点は、通信デバイスが同じサブフレームにおいて２つのＲＡ送信信号を送信しなくてもよくなることである。これは、電力に制限のあるケースで非常に有利且つ有益であり得る。また、これにより、ＰＳＣｅｌｌがアクティブ化され又は非アクティブ化される最中のランダムアクセス送信を回避することができるはずである。
【０１４７】
ここで使用されるところでは、“and/or（及び／又は）”との用語は、関連付けて列挙された事項のうちの１つ以上のありとあらゆる組み合わせを含む。
【０１４８】
さらに、ここで使用されるところでは、ラテン語のフレーズ“exempli  gratia”に由来する“e.g.（例えば）”という共通的な省略形は、その前に言及された事項の一般的な１つ又は複数の例を紹介し又は特定するために用いられ、そのような事項を限定することは意図されない。ラテン語のフレーズ“id  est”に由来する共通的な省略形“i.e.（即ち）”は、ここで使用される場合、より一般的な記述から具体的な事項を特定するために用いられ得る。“及びその他のもの”又は“など”を意味するラテン語表現“et  cetera”に由来する“etc.（など）”という共通的な省略形は、ここでは、直前に挙示されたものに類似するさらなる特徴が存在することを示すために使用されているかもしれない。
【０１４９】
ここで使用されるところでは、単数形の“a”、“an”及び“the”は、明示的な別段の記述の無い限り、複数形も同様に含むことが意図される。さらに理解されるであろうこととして、“includes（含む）”、“comprises（含む／備える）”、“including（含む）”及び／又は“comprising（含む／備える）”との用語は、本明細書において使用される場合、記述された特徴、アクション、整数、ステップ、動作、要素及び／又はコンポーネントの存在を特定し、但し１つ以上の他の特徴、アクション、整数、ステップ、動作、要素、コンポーネント及び／又はそれらの集合の存在又は追加を排除しない。
【０１５０】
別段の定義の無い限り、ここで使用されている技術的用語及び学術的用語を含む全ての用語は、説明された実施形態が属する分野における当業者により共通的に理解されるものと同じ意味を有する。さらに、一般に使用される辞書において定義されるような用語は、関連技術の文脈における意味と整合する意味を有するものとして解釈されるべきであって、明示的にそのようにここで定義されない限り、理想化され又は過度に型通りの意味で解釈されないことが理解されるであろう。
【０１５１】
ここでの実施形態は、上述した好適な実施形態に限定されない。多様な変形、修正及び均等物が使用されてよい。従って、上の実施形態は、限定的なものとして解釈されるべきではない。
【０１５２】
［略語］
ＭｅＮＢ      Master  eNode  B
ＳｅＮＢ      Secondary  eNode  B
ＰＳＣｅｌｌ  Primary  SCell
ＰＣＣ        Primary  component  carrier
ＰＣＩ        Physical  cell  identity
ＰＳＳ        Primary  synchronization  signal
ＲＡＴ        Radio  Access  Technology
ＲＲＣ        Radio  resource  control
ＲＳＣＰ      Received  signal  code  power
ＲＳＲＰ      Reference  Signal  Received  Power
ＲＳＲＱ      Reference  Signal  Received  Quality
ＲＳＳＩ      Received  signal  strength  indication
ＳＣＣ        Secondary  component  carrier
ＳＩＢ        System  information  block
ＳＯＮ        Self-organizing  networks
ＳＳＳ        Secondary  synchronization  signal  
ＴＤＤ        Time  division  duplex
ＵＡＲＦＣＮ  UMTS  Absolute  Radio  Frequency  Channel  Number
ＨＯ          Handover
ＵＥ          User  equipment
ＲＮＣ        Radio  Network  Controller
ＢＳＣ        Base  station  Controller
ＰＣｅｌｌ    Primary  Cell
ＳＣｅｌｌ    Secondary  Cell
ＰＲＡＣＨ    Physical  random  access  channel
ＲＡＣＨ      Random  Access  Channel
【図１】
2017538375.tif 000005
【図２】
2017538375.tif 000006
【図３】
2017538375.tif 000007
【図４】
2017538375.tif 000008
【図５】
2017538375.tif 000009
【図６】
2017538375.tif 000010
【図７】
2017538375.tif 000011
【図８】
2017538375.tif 000012
【図９】
2017538375.tif 000013
【図１０】
2017538375.tif 000014
【図１１】
2017538375.tif 000015
【図１２】
2017538375.tif 000016
【手続補正書】
【提出日】平成29年6月21日(2017.6.21)
【手続補正１】
【補正対象書類名】特許請求の範囲
【補正対象項目名】全文
【補正方法】変更
【補正の内容】
【特許請求の範囲】
【請求項１】
無線通信ネットワーク（１００）において通信デバイス（１２１）により実行される、デュアルコネクティビティにおけるセカンダリセル構成時の遅延を低減するための方法であって、前記通信デバイス（１２１）は、第１のネットワークノード（１１０）の第１のセル（１１５）、及び、少なくとも第２のネットワークノード（１１１，１１２）の少なくとも第２のセル（１１６，１１７）において、デュアルコネクティビティを行うことが可能であり、前記方法は、
前記第１のセル（１１５）において使用される第１のランダムアクセスチャネル構成を示す情報を取得することと、
前記少なくとも第２のセル（１１６，１１７）において使用される少なくとも第２のランダムアクセスチャネル構成を示す情報を取得することと、
前記少なくとも第２のランダムアクセスチャネル構成が前記第１のランダムアクセスチャネル構成に対して直交的であるかに基づいて、前記通信デバイス（１２１）により前記少なくとも第２のセル（１１６，１１７）を構成するために要する時間を判定することと、
を含む方法。
【請求項２】
前記第２のランダムアクセスチャネル構成が前記第１のランダムアクセスチャネル構成に対して直交的であると判定される場合の、前記通信デバイス（１２１）により前記少なくとも第２のセル（１１６，１１７）を構成するために要する時間（Ｔ１）は、前記第２のランダムアクセスチャネル構成が前記第１のランダムアクセスチャネル構成に対して直交的ではないと判定される場合の、前記通信デバイス（１２１）により前記少なくとも第２のセル（１１６，１１７）を構成するために要する時間（Ｔ２）よりも短い、請求項１に記載の方法。
【請求項３】
前記通信デバイス（１２１）により前記少なくとも第２のセル（１１６，１１７）を構成するために要する時間（Ｔ１）は、前記第１のセル（１１５）上でランダムアクセスを実行するための時間を含まず、
前記通信デバイス（１２１）により前記少なくとも第２のセル（１１６，１１７）を構成するために要する時間（Ｔ２）は、前記第１のセル（１１５）上でランダムアクセスを実行するための時間を含む、
請求項１〜２のいずれかに記載の方法。
【請求項４】
前記通信デバイス（１２１）により前記少なくとも第２のセル（１１６，１１７）を構成するために要する時間（Ｔ１）及び時間（Ｔ２）は、予め定義されるルールに基づいて前記通信デバイス（１２１）により判定される、請求項１〜３のいずれかに記載の方法。
【請求項５】
前記第１のランダムアクセスチャネル構成及び前記少なくとも第２のランダムアクセスチャネル構成は、前記第１のランダムアクセスチャネル構成に従った前記通信デバイス（１２１）からのランダムアクセス送信が少なくとも第２のランダムアクセスチャネル構成に従った前記通信デバイス（１２１）からのランダムアクセス送信と時間的に重複しない場合に、互いを基準として直交的である、請求項１〜４のいずれかに記載の方法。
【請求項６】
前記第１のセルは、マスターセルグループ（ＭＣＧ）へ属し、前記第２のセルは、セカンダリセルグループ（ＳＣＧ）へ属する、請求項１〜５のいずれかに記載の方法。
【請求項７】
無線通信ネットワーク（１００）においてデュアルコネクティビティにおけるセカンダリセル構成時の遅延を低減するための通信デバイス（１２１）であって、前記通信デバイス（１２１）は、第１のネットワークノード（１１０）の第１のセル（１１５）、及び、少なくとも第２のネットワークノード（１１１，１１２）の少なくとも第２のセル（１１６，１１７）において、デュアルコネクティビティのために構成可能であり、
前記第１のセル（１１５）において使用される第１のランダムアクセスチャネル構成を示す情報を取得し、
前記少なくとも第２のセル（１１６，１１７）において使用される少なくとも第２のランダムアクセスチャネル構成を示す情報を取得し、
前記少なくとも第２のランダムアクセスチャネル構成が前記第１のランダムアクセスチャネル構成に対して直交的であるかに基づいて、前記通信デバイス（１２１）により前記少なくとも第２のセル（１１６，１１７）を構成するために要する時間を判定する、
ように構成される、通信デバイス（１２１）。
【請求項８】
前記第２のランダムアクセスチャネル構成が前記第１のランダムアクセスチャネル構成に対して直交的であると判定される場合の、前記通信デバイス（１２１）により前記少なくとも第２のセル（１１６，１１７）を構成するために要する時間（Ｔ１）は、前記第２のランダムアクセスチャネル構成が前記第１のランダムアクセスチャネル構成に対して直交的ではないと判定される場合の、前記通信デバイス（１２１）により前記少なくとも第２のセル（１１６，１１７）を構成するために要する時間（Ｔ２）よりも短い、請求項７に記載の通信デバイス（１２１）。
【請求項９】
前記通信デバイス（１２１）により前記少なくとも第２のセル（１１６，１１７）を構成するために要する時間（Ｔ１）は、前記第１のセル（１１５）上でランダムアクセスを実行するための時間を含まず、
前記通信デバイス（１２１）により前記少なくとも第２のセル（１１６，１１７）を構成するために要する時間（Ｔ２）は、前記第１のセル（１１５）上でランダムアクセスを実行するための時間を含む、
請求項７〜８のいずれかに記載の通信デバイス（１２１）。
【請求項１０】
前記通信デバイス（１２１）は、前記通信デバイス（１２１）により前記少なくとも第２のセル（１１６，１１７）を構成するために要する時間（Ｔ１）及び時間（Ｔ２）を、予め定義されるルールに基づいて判定する、ように構成される、請求項７〜９のいずれかに記載の通信デバイス（１２１）。
【請求項１１】
前記第１のランダムアクセスチャネル構成及び前記少なくとも第２のランダムアクセスチャネル構成は、前記第１のランダムアクセスチャネル構成に従った前記通信デバイス（１２１）からのランダムアクセス送信が少なくとも第２のランダムアクセスチャネル構成に従った前記通信デバイス（１２１）からのランダムアクセス送信と時間的に重複しない場合に、直交的である、請求項７〜１０のいずれかに記載の通信デバイス（１２１）。
【請求項１２】
プロセッサ（１１１０）と、前記プロセッサ（１１１０）により実行可能な命令を収容するメモリ（１１２０）と、をさらに備える、請求項７〜１１のいずれかに記載の通信デバイス（１２１）。
【請求項１３】
無線通信ネットワーク（１００）において通信デバイス（１２１）のデュアルコネクティビティにおけるセカンダリセル構成時の遅延を低減するための、第１のネットワークノード（１１０）により実行される方法であって、前記通信デバイス（１２１）は、前記第１のネットワークノード（１１０）の第１のセル（１１５）、及び、少なくとも第２のネットワークノード（１１１，１１２）の少なくとも第２のセル（１１６，１１７）において、デュアルコネクティビティを行うことが可能であり、前記方法は、
前記少なくとも第２のセル（１１６，１１７）において使用される少なくとも第２のランダムアクセスチャネル構成を示す情報を取得することと、
前記少なくとも第２のランダムアクセスチャネル構成が第１のランダムアクセスチャネル構成に対して直交的であるかに基づいて、前記通信デバイス（１２１）により前記少なくとも第２のセル（１１６，１１７）を構成するために要する時間を判定することと、
を含む方法。
【請求項１４】
前記第２のランダムアクセスチャネル構成が前記第１のランダムアクセスチャネル構成に対して直交的であると判定される場合の、前記通信デバイス（１２１）により前記少なくとも第２のセル（１１６，１１７）を構成するために要する時間（Ｔ１）は、前記第２のランダムアクセスチャネル構成が前記第１のランダムアクセスチャネル構成に対して直交的ではないと判定される場合の、前記通信デバイス（１２１）により前記少なくとも第２のセル（１１６，１１７）を構成するために要する時間（Ｔ２）よりも短い、請求項１３に記載の方法。
【請求項１５】
前記通信デバイス（１２１）により前記少なくとも第２のセル（１１６，１１７）を構成するために要する時間（Ｔ１）は、前記第１のセル（１１５）上でランダムアクセスを実行するための時間を含まず、
前記通信デバイス（１２１）により前記少なくとも第２のセル（１１６，１１７）を構成するために要する時間（Ｔ２）は、前記第１のセル（１１５）上でランダムアクセスを実行するための時間を含む、
請求項１３〜１４のいずれかに記載の方法。
【請求項１６】
前記通信デバイス（１２１）により前記少なくとも第２のセル（１１６，１１７）を構成するために要する時間（Ｔ１）及び時間（Ｔ２）は、予め定義されるルールに基づいて前記第１のネットワークノード（１１０）により判定される、請求項１３〜１５のいずれかに記載の方法。
【請求項１７】
前記第１のランダムアクセスチャネル構成及び前記少なくとも第２のランダムアクセスチャネル構成は、前記第１のランダムアクセスチャネル構成に従った前記通信デバイス（１２１）からのランダムアクセス送信が少なくとも第２のランダムアクセスチャネル構成に従った前記通信デバイス（１２１）からのランダムアクセス送信と時間的に重複しない場合に、互いを基準として直交的である、請求項１３〜１６のいずれかに記載の方法。
【請求項１８】
前記第１のセルは、マスターセルグループ（ＭＣＧ）へ属し、前記第２のセルは、セカンダリセルグループ（ＳＣＧ）へ属する、請求項１３〜１７のいずれかに記載の方法。
【請求項１９】
無線通信ネットワーク（１００）において通信デバイス（１２１）のデュアルコネクティビティにおけるセカンダリセル構成時の遅延を低減するための第１のネットワークノード（１１０）であって、前記通信デバイス（１２１）は、前記第１のネットワークノード（１１０）の第１のセル（１１５）、及び、少なくとも第２のネットワークノード（１１１，１１２）の少なくとも第２のセル（１１６，１１７）において、デュアルコネクティビティのために構成可能であり、前記第１のネットワークノード（１１０）は、
前記少なくとも第２のセル（１１６，１１７）において使用される少なくとも第２のランダムアクセスチャネル構成を示す情報を取得し、
前記少なくとも第２のランダムアクセスチャネル構成が第１のランダムアクセスチャネル構成に対して直交的であるかに基づいて、前記通信デバイス（１２１）により前記少なくとも第２のセル（１１６，１１７）を構成するために要する時間を判定する、
ように構成される、第１のネットワークノード（１１０）。
【請求項２０】
前記第２のランダムアクセスチャネル構成が前記第１のランダムアクセスチャネル構成に対して直交的である場合の、前記通信デバイス（１２１）により前記少なくとも第２のセル（１１６，１１７）を構成するために要する時間（Ｔ１）は、前記第２のランダムアクセスチャネル構成が前記第１のランダムアクセスチャネル構成に対して直交的ではない場合の、前記通信デバイス（１２１）により前記少なくとも第２のセル（１１６，１１７）を構成するために要する時間（Ｔ２）よりも短い、請求項１９に記載の第１のネットワークノード（１１０）。
【請求項２１】
前記通信デバイス（１２１）により前記少なくとも第２のセル（１１６，１１７）を構成するために要する時間（Ｔ１）は、前記第１のセル（１１５）上でランダムアクセスを実行するための時間を含まず、
前記通信デバイス（１２１）により前記少なくとも第２のセル（１１６，１１７）を構成するために要する時間（Ｔ２）は、前記第１のセル（１１５）上でランダムアクセスを実行するための時間を含む、
請求項１９〜２０のいずれかに記載の第１のネットワークノード（１１０）。
【請求項２２】
前記第１のネットワークノード（１１０）は、前記通信デバイス（１２１）により前記少なくとも第２のセル（１１６，１１７）を構成するために要する時間（Ｔ１）及び時間（Ｔ２）を、予め定義されるルールに基づいて判定する、ように構成される、請求項１９〜２１のいずれかに記載の第１のネットワークノード（１１０）。
【請求項２３】
前記第１のランダムアクセスチャネル構成及び前記少なくとも第２のランダムアクセスチャネル構成は、前記第１のランダムアクセスチャネル構成に従った前記通信デバイス（１２１）からのランダムアクセス送信が少なくとも第２のランダムアクセスチャネル構成に従った前記通信デバイス（１２１）からのランダムアクセス送信と時間的に重複しない場合に、直交的である、請求項１９〜２２のいずれかに記載の第１のネットワークノード（１１０）。
【請求項２４】
プロセッサ（１２１０）と、前記プロセッサ（１２１０）により実行可能な命令を収容するメモリ（１２２０）と、をさらに備える、請求項１９〜２３のいずれかに記載の第１のネットワークノード（１１０）。
【請求項２５】
少なくとも１つのプロセッサ（１１１０，１２１０）上で実行された場合に、前記少なくとも１つのプロセッサ（１１１０，１２１０）に、請求項１〜６及び請求項１３〜１８のいずれかに記載の方法を遂行させる命令、を含むコンピュータプログラム。
【手続補正２】
【補正対象書類名】明細書
【補正対象項目名】００４７
【補正方法】変更
【補正の内容】
【００４７】
図８において、ワイヤレス通信デバイス１２１は、セル１１５内に位置する。ワイヤレス通信デバイス１２１は、ネットワークノード１１０によりサービスされるセル１１５内に存在する場合に、無線リンク１３１上でネットワークノード１１０を介して無線通信ネットワーク１００内で通信する、ように構成される。ワイヤレス通信デバイス１２１は、セルラー、モバイル若しくは無線通信ネットワーク又はシステムにおいて、ネットワークノード及び／又は他の通信デバイスと通信するいかなるタイプの通信デバイス又はユーザ機器（ＵＥ）への言及であってもよい。そうしたワイヤレス通信デバイスの例は、モバイルフォン、セルラーフォン、ＰＤＡ（Personal  Digital  Assistants）、スマートフォン、タブレット、ＵＥを具備するセンサ、ＬＭＥ（Laptop  Mounted  Equipment）（例えば、ＵＳＢ）、ＬＥＥ（Laptop  Embedded  Equipments）、ＭＴＣ（Machine  Type  Communication）デバイス若しくはＭ２Ｍ（Machine  to  Machine）デバイス、ＣＰＥ（Customer  Premises  Equipment）、ターゲットデバイス、Ｄ２Ｄ（device-to-device）ワイヤレスデバイス、Ｍ２Ｍ（machine  to  machine）通信可能なワイヤレスデバイスなどである。
【手続補正３】
【補正対象書類名】明細書
【補正対象項目名】００４８
【補正方法】変更
【補正の内容】
【００４８】
図８に示したように、無線通信システム１００は、さらに第２のネットワークノード１１１及び第３のネットワークノード１１２を含んでよい。ネットワークノード１１１、１１２は、少なくとも１つのセル１１６、１１７へサービスする。第２及び第３のネットワークノード１１１、１１２は、少なくとも１つのセル１１６、１１７においてワイヤレス通信デバイス１２１へサービスする、ように構成されてもよく、即ちデュアルコネクティビティ（ＤＣ）モードで動作する場合のセカンダリセルとして構成されてもよい。
【手続補正４】
【補正対象書類名】明細書
【補正対象項目名】００７８
【補正方法】変更
【補正の内容】
【００７８】
これは、例えば、アクション１００１ａにより示されているように、第１のネットワークノード１１０にとってアクセス可能な、又は第１のネットワークノード１１０内に記憶されている予め決定される情報から、上記情報を取り出すことにより実行されてもよい。代替的に、これは、アクション１００１ｂにより示されているように、例えば、デュアルコネクティビティ接続のためのリクエストへの応答として少なくとも第２のネットワークノード１１１、１１２から上記情報を受信することにより実行されてもよい。オプションとして、これは、アクション１００１ｃにより示されているように、ワイヤレス通信デバイス１２１から情報を受信することにより実行されてもよく、例えば、その情報は、第１のセル内のＰＲＡＣＨ構成を変更するための明示的なリクエスト、又は、第２のノード１１１、１１２のＰＲＡＣＨ構成に関連する暗黙的な情報を含み得る。
【手続補正５】
【補正対象書類名】明細書
【補正対象項目名】０１００
【補正方法】変更
【補正の内容】
【０１００】
ＰＣｅｌｌ及びＰＳＣｅｌｌのＲＡＣＨ機会が直交的でない場合、未知のＰＳＣｅｌｌを構成するためにワイヤレス通信デバイス１２１により要する時間又は遅延は、次のような等式（式２）により（ｍｓで）表現される：
Ｔconfig_unknown_PSCell＝１５ｍｓ＋Ｔactivation_time＋５０ｍｓ＋ＴPCell_IU＋ＴPSCell_IU  （式２）
留意すべきこととして、Ｔconfig_unknown_PSCellは、ここでＴ２として言及されてもよく、又は、未知のＰＳＣｅｌｌが構成されるケース、即ち、通信デバイス１２１において構成される前に通信デバイス１２１にとって既知ではないケースについてのＴconfig_PSCellとして言及されてもよい。
【手続補正６】
【補正対象書類名】明細書
【補正対象項目名】０１０４
【補正方法】変更
【補正の内容】
【０１０４】
ＰＣｅｌｌ及びＰＳＣｅｌｌのＲＡＣＨ機会が直交的である場合、未知のＰＳＣｅｌｌを構成するためにワイヤレス通信デバイス１２１により要する時間又は遅延は、次のような等式（式４）により（ｍｓで）表現される：
Ｔconfig_unknown_PSCell＝１５ｍｓ＋Ｔactivation_time＋５０ｍｓ＋ＴPSCell_IU  （式４）
留意すべきこととして、Ｔconfig_unknown_PSCellは、ここでＴ１として言及されてもよく、又は、未知のＰＳＣｅｌｌが構成されるケース、即ち、通信デバイス１２１において構成される前に通信デバイス１２１にとって既知ではないケースについてのＴconfig_PSCellとして言及されてもよい。
【国際調査報告】
2017538375.tif 000017
2017538375.tif 000018
2017538375.tif 000019
2017538375.tif 000020